(57)【特許請求の範囲】
【請求項１】
制御チャネルを送信するためのリソースを決定する方法であって、
基地局装置が、同じセル内の複数のユーザ機器に対して、同一の所定値を、前記複数のユーザ機器に共通に定義される設定可能な無線ネットワーク一時識別子（ＲＮＴＩ）の値として割り当てるステップと、
前記基地局装置が、前記設定可能な無線ネットワーク一時識別子の値によって定義される拡張物理ダウンリンク制御チャネル（ＥＰＤＤＣＨ）内の共通サーチスペース内に、前記複数のユーザ機器に少なくともＴＤＤ構成を含む共通のパラメータを設定するステップと、
前記基地局装置が、前記共通のパラメータを前記共通サーチスペースにおいて前記複数のユーザ機器に送信するステップと、
を有する方法。
【請求項２】
前記設定可能な無線ネットワーク一時識別子の前記値が、固定値である、または、セル検出手順に関連付けられる値に基づいて計算される値である、
請求項１に記載の方法。
【請求項３】
前記設定可能な無線ネットワーク一時識別子の前記値が、物理セルＩＤ＋１に等しい値である、
請求項１に記載の方法。
【請求項４】
前記送信ステップが、前記設定可能な無線ネットワーク一時識別子の前記値に基づいて定義される１つまたは複数の拡張制御チャネル要素（ＥＣＣＥ）に前記共通のパラメータをマッピングするステップ、を含む、
請求項１から請求項３のいずれかに記載の方法。
【請求項５】
前記送信ステップが、前記共通のパラメータに巡回冗長検査（ＣＲＣ）符号を付加するステップ、を含み、
前記巡回冗長検査符号が、前記巡回冗長検査符号と前記設定可能な無線ネットワーク一時識別子の２進ＸＯＲ演算によってマスクされる、
請求項１から請求項４のいずれかに記載の方法。
【請求項６】
前記送信ステップが、前記共通のパラメータに巡回冗長検査符号を付加するステップ、を含み、
前記巡回冗長検査符号が、前記巡回冗長検査符号とセル無線ネットワーク一時識別子（Ｃ−ＲＮＴＩ）の２進ＸＯＲ演算によってマスクされる、
請求項１から請求項４のいずれかに記載の方法。
【請求項７】
利用可能な最も高い複数のアグリゲーションレベルのマッピングに、前記設定可能な無線ネットワーク一時識別子が使用され、
残りのアグリゲーションレベルのうちの少なくとも１つのマッピングには、前記設定可能な無線ネットワーク一時識別子が使用されない、
請求項４から請求項６のいずれかに記載の方法。
【請求項８】
２つの分散型の拡張物理ダウンリンク制御チャネル−物理リソースブロックセットが使用され、前記２つの拡張物理ダウンリンク制御チャネル−物理リソースブロックセットのうちの第１のセットが、前記２つの分散型の拡張物理ダウンリンク制御チャネル−物理リソースブロックセットのうちの第２のセットよりも多くの高いアグリゲーションレベルの候補を提供し、
前記２つの分散型の拡張物理ダウンリンク制御チャネル−物理リソースブロックセットのうちの前記第１のセットのみのマッピングに、前記設定可能な無線ネットワーク一時識別子が使用される、
請求項７に記載の方法。
【請求項９】
１つの分散型の拡張物理ダウンリンク制御チャネル−物理リソースブロックセットと、１つの局在型の拡張物理ダウンリンク制御チャネル−物理リソースブロックセットが使用され、
前記分散型の拡張物理ダウンリンク制御チャネル−物理リソースブロックセットのみのマッピングに、前記設定可能な無線ネットワーク一時識別子が使用される、
請求項７に記載の方法。
【請求項１０】
利用可能な最も低い複数のアグリゲーションレベルのマッピングに、前記設定可能な無線ネットワーク一時識別子が使用され、
残りのアグリゲーションレベルのうちの少なくとも１つのマッピングには、前記設定可能な無線ネットワーク一時識別子が使用されない、
請求項４から請求項６のいずれかに記載の方法。
【請求項１１】
２つの分散型の拡張物理ダウンリンク制御チャネル−物理リソースブロックセットが使用され、前記２つの拡張物理ダウンリンク制御チャネル−物理リソースブロックセットのうちの前記第２のセットが、前記２つの分散型の拡張物理ダウンリンク制御チャネル−物理リソースブロックセットのうちの前記第１のセットよりも多くの低いアグリゲーションレベルの候補を提供し、
前記２つの分散型の拡張物理ダウンリンク制御チャネル−物理リソースブロックセットのうちの前記第２のセットのみのマッピングに、前記設定可能な無線ネットワーク一時識別子が使用される、
請求項１０に記載の方法。
【請求項１２】
１つの分散型の拡張物理ダウンリンク制御チャネル−物理リソースブロックセットと、１つの局在型の拡張物理ダウンリンク制御チャネル−物理リソースブロックセットが使用され、
前記局在型の拡張物理ダウンリンク制御チャネル−物理リソースブロックセットのみのマッピングに、前記設定可能な無線ネットワーク一時識別子が使用される、
請求項１０に記載の方法。
【請求項１３】
前記共通のパラメータが、前記複数のユーザ機器と前記基地局との間で通信するための時分割複信（ＴＤＤ）アップリンク／ダウンリンク構成の値を定義する、
請求項１から請求項１２のいずれかに記載の方法。
【請求項１４】
前記共通のパラメータが、無線フレームを構成する複数のサブフレームのうちの所定のダウンリンクサブフレームのみにおいて送信される、
請求項１から請求項１３のいずれかに記載の方法。
【請求項１５】
前記無線フレームの残りのダウンリングサブフレームにおいて１つまたは複数の拡張制御チャネル要素に前記共通のパラメータをマッピングする場合に、セル無線ネットワーク一時識別子（Ｃ−ＲＮＴＩ）が使用される、
請求項１４に記載の方法。
【請求項１６】
３つの拡張物理ダウンリンク制御チャネル−物理リソースブロックセットが利用可能であり、前記３つの拡張物理ダウンリンク制御チャネル−物理リソースブロックセットのうちの１つのみのマッピングに、前記設定可能な無線ネットワーク一時識別子が使用される、
請求項４から請求項１５のいずれかに記載の方法。
【請求項１７】
請求項１から請求項１６のいずれかに記載の方法を実施するように構成されている基地局装置。
【発明の詳細な説明】
【技術分野】
【０００１】
本発明は、新規のＲＮＴＩフィールドに基づいて移動局と基地局との間で通信する方法であって、新規のＲＮＴＩフィールドによって、１基のみの移動局を宛先とするメッセージ、または複数の移動局を宛先とするメッセージを、共通サーチスペースにおいて送信することができる、方法、に関する。さらに、本発明は、本明細書に記載されている方法を実施する移動局および基地局を提供する。
【背景技術】
【０００２】
ロングタームエボリューション（ＬＴＥ）
【０００３】
ＷＣＤＭＡ（登録商標）無線アクセス技術をベースとする第３世代の移動通信システム（３Ｇ）は、世界中で広範な規模で配備されつつある。この技術を機能強化または発展・進化させる上での最初のステップとして、高速ダウンリンクパケットアクセス（ＨＳＤＰＡ）と、エンハンストアップリンク（高速アップリンクパケットアクセス（ＨＳＵＰＡ）とも称する）とが導入され、これにより、極めて競争力の高い無線アクセス技術が提供されている。
【０００４】
ユーザからのますます増大する需要に対応し、新しい無線アクセス技術に対する競争力を確保する目的で、３ＧＰＰは、ロングタームエボリューション（ＬＴＥ）と称される新しい移動通信システムを導入した。ＬＴＥは、今後１０年間にわたり、データおよびメディアの高速伝送ならびに大容量の音声サポートに要求されるキャリアを提供するように設計されている。高いビットレートを提供する能力は、ＬＴＥにおける重要な方策である。
【０００５】
ＬＴＥ（ロングタームエボリューション）に関する作業項目（ＷＩ）の仕様は、Ｅ−ＵＴＲＡ（Evolved UMTS Terrestrial Radio Access(UTRA)：進化したＵＭＴＳ地上無線アクセス）およびＥ−ＵＴＲＡＮ（Evolved UMTS Terrestrial Radio Access Network(UTRAN)：進化したＵＭＴＳ地上無線アクセスネットワーク）と称され、最終的にリリース８（ＬＴＥリリース８）として公開される。ＬＴＥシステムは、パケットベースの効率的な無線アクセスおよび無線アクセスネットワークであり、ＩＰベースの全機能を低遅延かつ低コストで提供する。ＬＴＥでは、与えられたスペクトルを用いてフレキシブルなシステム配備を達成するために、スケーラブルな複数の送信帯域幅（例えば、１.４ＭＨｚ、３.０ＭＨｚ、５.０ＭＨｚ、１０.０ＭＨｚ、１５.０ＭＨｚ、および２０.０ＭＨｚ）が指定されている。ダウンリンクには、ＯＦＤＭ（Orthogonal Frequency Division Multiplexing：直交周波数分割多重）をベースとする無線アクセスが採用されている。なぜなら、かかる無線アクセスは、低いシンボルレートのため本質的にマルチパス干渉（ＭＰＩ）を受けにくく、また、サイクリックプレフィックス（ＣＰ）を使用しており、さらに、さまざまな送信帯域幅の構成に対応可能だからである。アップリンクには、ＳＣ−ＦＤＭＡ（Single-Carrier Frequency Division Multiple Access：シングルキャリア周波数分割多元接続）をベースとする無線アクセスが採用されている。なぜなら、ユーザ機器（ＵＥ）の送信出力が限られていることを考えれば、ピークデータレートを向上させるよりも広いカバレッジエリアを提供することが優先されるからである。ＬＴＥリリース８／９では、数多くの主要なパケット無線アクセス技術（例えば、ＭＩＭＯ（多入力多出力）チャネル伝送技術）が採用され、高効率の制御シグナリング構造が達成されている。
【０００６】
ＬＴＥアーキテクチャ
【０００７】
図１は、ＬＴＥの全体的なアーキテクチャを示し、図２は、Ｅ−ＵＴＲＡＮのアーキテクチャをより詳細に示している。Ｅ−ＵＴＲＡＮは、ｅＮｏｄｅＢから構成され、ｅＮｏｄｅＢは、ＵＥ向けの、Ｅ−ＵＴＲＡのユーザプレーン（ＰＤＣＰ／ＲＬＣ／ＭＡＣ／ＰＨＹ）および制御プレーン（ＲＲＣ）のプロトコルを終端処理する。ｅＮｏｄｅＢ（ｅＮＢ）は、物理（ＰＨＹ）レイヤ、メディアアクセス制御（ＭＡＣ）レイヤ、無線リンク制御（ＲＬＣ）レイヤ、およびパケットデータ制御プロトコル（ＰＤＣＰ）レイヤ（これらのレイヤはユーザプレーンのヘッダ圧縮および暗号化の機能を含む）をホストする。ｅＮＢは、制御プレーンに対応する無線リソース制御（ＲＲＣ）機能も提供する。ｅＮＢは、無線リソース管理、アドミッション制御、スケジューリング、交渉によるアップリンクＱｏＳ（サービス品質）の実施、セル情報のブロードキャスト、ユーザプレーンデータおよび制御プレーンデータの暗号化／復号、ダウンリンク／アップリンクのユーザプレーンパケットヘッダの圧縮／復元など、多くの機能を実行する。複数のｅＮｏｄｅＢは、Ｘ２インタフェースによって互いに接続されている。
【０００８】
また、複数のｅＮｏｄｅＢは、Ｓ１インタフェースによってＥＰＣ（Evolved Packet Core：進化したパケットコア）、より具体的には、Ｓ１−ＭＭＥによってＭＭＥ（Mobility Management Entity：移動管理エンティティ）、Ｓ１−Ｕによってサービングゲートウェイ（ＳＧＷ：Serving Gateway）に接続されている。Ｓ１インタフェースは、ＭＭＥ／サービングゲートウェイとｅＮｏｄｅＢとの間の多対多関係をサポートする。ＳＧＷは、ユーザデータパケットをルーティングして転送する一方で、ｅＮｏｄｅＢ間のハンドオーバー時におけるユーザプレーンのモビリティアンカーとして機能し、さらに、ＬＴＥと別の３ＧＰＰ技術との間のモビリティのためのアンカー（Ｓ４インタフェースを終端させ、２Ｇ／３ＧシステムとＰＤＮ  ＧＷとの間でトラフィックを中継する）として機能する。ＳＧＷは、アイドル状態のユーザ機器に対しては、ダウンリンクデータ経路を終端させ、そのユーザ機器へのダウンリンクデータが到着したときにページングをトリガーする。ＳＧＷは、ユーザ機器のコンテキスト（例えばＩＰベアラサービスのパラメータ、ネットワーク内部ルーティング情報）を管理および格納する。さらに、ＳＧＷは、合法傍受（lawful interception）の場合にユーザトラフィックの複製を実行する。
【０００９】
ＭＭＥは、ＬＴＥのアクセスネットワークの主要な制御ノードである。ＭＭＥは、アイドルモードのユーザ機器の追跡およびページング手順（再送信を含む）の役割を担う。ＭＭＥは、ベアラの有効化／無効化プロセスに関与し、さらには、最初のアタッチ時と、コアネットワーク（ＣＮ）ノードの再配置を伴うＬＴＥ内ハンドオーバー時とに、ユーザ機器のＳＧＷを選択する役割も担う。ＭＭＥは、（ＨＳＳと対話することによって）ユーザを認証する役割を担う。非アクセス階層（ＮＡＳ：Non-Access Stratum）シグナリングはＭＭＥにおいて終端され、ＭＭＥは、一時的なＩＤを生成してユーザ機器に割り当てる役割も担う。ＭＭＥは、サービスプロバイダの公衆陸上移動網（ＰＬＭＮ：Public Land Mobile Network）に入るためのユーザ機器の認証をチェックし、ユーザ機器のローミング制約を実施する。ＭＭＥは、ＮＡＳシグナリングの暗号化／整合性保護においてネットワーク内の終端点であり、セキュリティキーの管理を行う。シグナリングの合法傍受も、ＭＭＥによってサポートされる。さらに、ＭＭＥは、ＬＴＥのアクセスネットワークと２Ｇ／３Ｇのアクセスネットワークとの間のモビリティのための制御プレーン機能を提供し、ＳＧＳＮからのＳ３インタフェースを終端させる。さらに、ＭＭＥは、ローミングするユーザ機器のためのホームＨＳＳに向かうＳ６ａインタフェースを終端させる。
【００１０】
ＬＴＥ（リリース８）におけるコンポーネントキャリアの構造
【００１１】
３ＧＰＰ  ＬＴＥ（リリース８以降）のダウンリンクコンポーネントキャリアは、時間−周波数領域において、いわゆるサブフレームに分割されている。３ＧＰＰ  ＬＴＥ（リリース８以降）では、図３に示したように、各サブフレームが２つのダウンリンクスロットに分割されており、第１のダウンリンクスロットは、最初のいくつかのＯＦＤＭシンボルにおける制御チャネル領域（ＰＤＣＣＨ領域）を含んでいる。各サブフレームは、時間領域における特定の数のＯＦＤＭシンボルからなり（３ＧＰＰ  ＬＴＥ（リリース８以降）では１２個または１４個のＯＦＤＭシンボル）、ＯＦＤＭシンボルそれぞれが、コンポーネントキャリアの帯域幅全体を範囲としている。したがって、ＯＦＤＭシンボルそれぞれは、図４にも示したように、ＮＤＬＲＢ×ＮＲＢｓｃ個のそれぞれのサブキャリア上で送信される複数の変調シンボルからなる。
【００１２】
例えば、３ＧＰＰ  ＬＴＥ（ロングタームエボリューション）において使用される、例えばＯＦＤＭを採用するマルチキャリア通信システムを考えると、スケジューラによって割り当てることのできるリソースの最小単位は、１つの「リソースブロック」である。物理リソースブロック（ＰＲＢ）は、図４に例示的に示したように、時間領域におけるＮＤＬｓｙｍｂ個の連続するＯＦＤＭシンボル（例：７個のＯＦＤＭシンボル）と、周波数領域におけるＮＲＢｓｃ個の連続するサブキャリアとして定義される（例：コンポーネントキャリアの１２のサブキャリア）。したがって、３ＧＰＰ  ＬＴＥ（リリース８）においては、物理リソースブロックは、ＮＤＬｓｙｍｂ×ＮＲＢｓｃ個のリソース要素からなり、時間領域における１スロットと、周波数領域における１８０ｋＨｚに対応する（ダウンリンクリソースグリッドに関するさらなる詳細については、例えば非特許文献１の６.２節を参照）（３ＧＰＰのウェブサイトにおいて入手可能であり、参照によって本明細書に組み込まれている）。
【００１３】
１つのサブフレームは２つのスロットからなり、したがって、いわゆる「通常の」ＣＰ（サイクリックプレフィックス）が使用されているときにはサブフレームに１４個のＯＦＤＭシンボルが存在し、いわゆる「拡張」ＣＰが使用されているときにはサブフレームに１２個のＯＦＤＭシンボルが存在する。専門用語として、以下では、サブフレーム全体にわたる、同一のＮＲＢｓｃ個の連続するサブキャリアに等しい時間−周波数リソースを、「リソースブロックペア」、または同じ意味で「ＲＢペア」または「ＰＲＢペア」と称する。
【００１４】
用語「コンポーネントキャリア」は、周波数領域におけるいくつかのリソースブロックの組合せを意味する。ＬＴＥの将来のリリースにおいて、「コンポーネントキャリア」という用語はもはや使用されない。代わりに、この用語は「セル」に変更される。「セル」は、ダウンリンクリソースおよび任意でアップリンクリソースの組合せを意味する。ダウンリンクリソースのキャリア周波数とアップリンクリソースのキャリア周波数との連結（linking）は、ダウンリンクリソースで送信されるシステム情報に示される。
【００１５】
コンポーネントキャリアの構造の同様の想定は、以降のリリースにも適用される。
【００１６】
論理チャネルおよびトランスポートチャネル
【００１７】
ＭＡＣ層は、論理チャネルを通じてＲＬＣ層にデータ伝送サービスを提供する。論理チャネルは、ＲＲＣシグナリングなどの制御データを伝える制御論理チャネル、またはユーザプレーンデータを伝えるトラフィック論理チャネルのいずれかである。ブロードキャスト制御チャネル（ＢＣＣＨ）、ページング制御チャネル（ＰＣＣＨ）、共通制御チャネル（ＣＣＣＨ）、マルチキャスト制御チャネル（ＭＣＣＨ）、および専用制御チャネル（ＤＣＣＨ）は、制御論理チャネルである。専用トラフィックチャネル（ＤＴＣＨ）およびマルチキャストトラフィックチャネル（ＭＴＣＨ）は、トラフィック論理チャネルである。
【００１８】
ＭＡＣ層からのデータは、トランスポートチャネルを通じて物理層と交換される。データは、無線送信方式に応じてトランスポートチャネルに多重化される。トランスポートチャネルは、次のようにダウンリンクまたはアップリンクとして分類される。ブロードキャストチャネル（ＢＣＨ）、ダウンリンク共有チャネル（ＤＬ−ＳＣＨ）、ページングチャネル（ＰＣＨ）、およびマルチキャストチャネル（ＭＣＨ）は、ダウンリンクトランスポートチャネルであり、アップリンク共有チャネル（ＵＬ−ＳＣＨ）およびランダムアクセスチャネル（ＲＡＣＨ）は、アップリンクトランスポートチャネルである。
【００１９】
ダウンリンクおよびアップリンクそれぞれにおいて、論理チャネルとトランスポートチャネルの間で多重化が実行される。
【００２０】
第１層／第２層（Ｌ１／Ｌ２）制御シグナリング
【００２１】
スケジューリング対象のユーザに、ユーザの割当てステータス、トランスポートフォーマット、およびその他のデータ関連情報（例：ＨＡＲＱ情報、送信電力制御（ＴＰＣ）コマンド）を知らせる目的で、第１層／第２層制御シグナリングがデータと一緒にダウンリンクで送信される。第１層／第２層制御シグナリングは、サブフレーム内でダウンリンクデータと一緒に多重化される（ユーザ割当てがサブフレーム単位で変化しうるものと想定する）。なお、ユーザ割当てをＴＴＩ（送信時間間隔）ベースで実行することもでき、その場合、ＴＴＩ長はサブフレームの倍数とすることができる。ＴＴＩ長は、サービスエリアにおいてすべてのユーザに対して一定とする、ユーザ毎に異なる、あるいはユーザ毎に動的とすることもできる。第１層／第２層制御シグナリングは、一般的にはＴＴＩあたり１回送信するのみでよい。一般性を失うことなく、以下では、ＴＴＩが１サブフレームに等しいものと想定する。
【００２２】
第１層／第２層制御シグナリングは、物理ダウンリンク制御チャネル（ＰＤＣＣＨ）で送信される。ＰＤＣＣＨは、ダウンリンク制御情報（ＤＣＩ）としてメッセージを伝え、このメッセージには、ほとんどの場合、ユーザ機器またはユーザ機器のグループのリソース割当て情報およびその他の制御情報が含まれる。一般的には、いくつかのＰＤＣＣＨを１つのサブフレーム内で送信することができる。
【００２３】
なお、３ＧＰＰ  ＬＴＥでは、アップリンクデータ送信のための割当て（アップリンクスケジューリンググラントまたはアップリンクリソース割当てとも称する）も、ＰＤＣＣＨで送信されることに留意されたい。
【００２４】
アップリンクまたはダウンリンクの無線リソースを割り当てるために第１層／第２層制御シグナリングで送られる情報は（特にＬＴＥ（−Ａ）リリース１０）、一般的には以下の項目に分類することができる。
ユーザ識別情報：  割り当てる対象のユーザを示す。この情報は、一般には、ＣＲＣをユーザ識別情報によってマスクすることによってチェックサムに含まれる。
リソース割当て情報：  ユーザに割り当てられるリソース（リソースブロック：ＲＢ）を示す。なお、ユーザに割り当てられるリソースブロックの数は動的とすることができる。
キャリアインジケータ：  第１のキャリアで送信される制御チャネルが、第２のキャリアに関係するリソース（すなわち第２のキャリアのリソースまたは第２のキャリアに関連するリソース）を割り当てる場合に使用される。
変調・符号化方式：  採用される変調方式および符号化率を決める。
ＨＡＲＱ情報：  データパケットまたはその一部の再送信時に特に有用である、新規データインジケータ（ＮＤＩ）や冗長バージョン（ＲＶ）など。
電力制御コマンド：  割り当てられたアップリンクデータまたは制御情報の送信時の送信電力を調整する。
基準信号情報：  割当てに関連する基準信号の送信または受信に使用される、適用されるサイクリックシフトや直交カバーコードインデックスなど。
アップリンクまたはダウンリンク割当てインデックス：  割当ての順序を識別するために使用され、ＴＤＤシステムにおいて特に有用である。
ホッピング情報：  例えば、周波数ダイバーシチを増大させるためにリソースホッピングを適用するかどうか、および適用方法の指示情報。
ＣＳＩ要求：  割り当てられるリソースにおけるチャネル状態情報の送信をトリガーするために使用される。
マルチクラスタ情報：  シングルクラスタ（リソースブロックの連続的なセット）またはマルチクラスタ（連続的なリソースブロックの少なくとも２つの不連続なセット）で送信を行うかを指示して制御するために使用されるフラグである。マルチクラスタ割当ては、３ＧＰＰ  ＬＴＥ−（Ａ）リリース１０によって導入された。
【００２５】
なお、上記のリストは、これらに限定されるものではなく、また、使用されるＤＣＩフォーマットによっては、リストした情報項目すべてを各ＰＤＣＣＨ送信に含める必要はないことに留意されたい。
【００２６】
ダウンリンク制御情報は、全体的なサイズと、フィールドに含まれる情報とが異なるいくつかのフォーマットの形をとる。ＬＴＥにおいて現在定義されている異なるＤＣＩフォーマットは、以下のとおりであり、非特許文献２の第５.３.３.１節に詳しく記載されている（この文書は、３ＧＰＰのウェブサイトで入手可能であり、参照によって本明細書に組み込まれている）。ＤＣＩフォーマットと、ＤＣＩにおいて送信される具体的な情報に関するさらなる詳細については、技術規格、または非特許文献３（参照によって本明細書に組み込まれている）の９.３章を参照されたい。
【００２７】
フォーマット０：  ＤＣＩフォーマット０は、アップリンク送信モード１または２におけるシングルアンテナポート送信を使用するＰＵＳＣＨのためのリソースグラントを送信するのに使用される。
【００２８】
フォーマット１：  ＤＣＩフォーマット１は、単一コードワードＰＤＳＣＨの送信（ダウンリンク送信モード１，２，７）のためのリソース割当てを送信するのに使用される。
【００２９】
フォーマット１Ａ：  ＤＣＩフォーマット１Ａは、単一コードワードＰＤＳＣＨの送信のためのリソース割当てをコンパクトにシグナリングする目的と、非競合ランダムアクセスのために専用プリアンブルシグネチャ（dedicated preamble signature）を移動端末に割り当てる目的とに使用される。
【００３０】
フォーマット１Ｂ：  ＤＣＩフォーマット１Ｂは、ランク１送信による閉ループプリコーディングを使用してのＰＤＳＣＨ送信（ダウンリンク送信モード６）のためのリソース割当てをコンパクトにシグナリングするのに使用される。送信される情報はフォーマット１Ａと同じであるが、それに加えて、ＰＤＳＣＨの送信に適用されるプリコーディングベクトルのインジケータが送信される。
【００３１】
フォーマット１Ｃ：  ＤＣＩフォーマット１Ｃは、ＰＤＳＣＨのための割当てを極めてコンパクトに送信するのに使用される。フォーマット１Ｃが使用されるとき、ＰＤＳＣＨ送信は、ＱＰＳＫ変調の使用に制約される。このフォーマットは、例えば、ページングメッセージをシグナリングしたり、システム情報メッセージをブロードキャストしたりするために使用される。
【００３２】
フォーマット１Ｄ：  ＤＣＩフォーマット１Ｄは、マルチユーザＭＩＭＯを使用してのＰＤＳＣＨ送信のためのリソース割当てをコンパクトにシグナリングするのに使用される。送信される情報は、フォーマット１Ｂの場合と同じであるが、プリコーディングベクトルのインジケータのビットのうちの１つの代わりに、データシンボルに電力オフセットが適用されるかを示すための１個のビットが存在する。この構成は、２基のユーザ機器の間で送信電力が共有されるか否かを示すために必要である。ＬＴＥの今後のバージョンでは、この構成は、より多くの数のユーザ機器の間で電力を共有する場合に拡張されうる。
【００３３】
フォーマット２：  ＤＣＩフォーマット２は、閉ループＭＩＭＯ動作の場合にＰＤＳＣＨのためのリソース割当てを送信するのに使用される。
【００３４】
フォーマット２Ａ：ＤＣＩフォーマット２Ａは、開ループＭＩＭＯ動作の場合にＰＤＳＣＨのためのリソース割当てを送信するのに使用される。送信される情報はフォーマット２の場合と同じであるが、異なる点として、ｅＮｏｄｅＢが２つの送信アンテナポートを有する場合、プリコーディング情報は存在せず、４つのアンテナポートの場合、送信ランクを示すために２ビットが使用される。
【００３５】
フォーマット２Ｂ：  リリース９において導入され、デュアルレイヤ・ビームフォーミングの場合にＰＤＳＣＨのためのリソース割当てを送信するために使用される。
【００３６】
フォーマット２Ｃ：  リリース１０において導入され、閉ループシングルユーザＭＩＭＯ動作またはマルチユーザＭＩＭＯ動作（最大８レイヤ）の場合にＰＤＳＣＨのためのリソース割当てを送信するために使用される。
【００３７】
フォーマット２Ｄ：  リリース１１において導入され、最大８レイヤの送信に使用され、主としてＣｏＭＰ（協調マルチポイント）において使用される。
【００３８】
フォーマット３および３Ａ：  ＤＣＩフォーマット３および３Ａは、それぞれ、２ビットまたは１ビットの電力調整を有する、ＰＵＣＣＨおよびＰＵＳＣＨのための電力制御コマンドを送信するのに使用される。これらのＤＣＩフォーマットは、ユーザ機器のグループのための個々の電力制御コマンドを含む。
【００３９】
フォーマット４：  ＤＣＩフォーマット４は、アップリンク送信モード２における閉ループ空間多重化送信を使用する、ＰＵＳＣＨのスケジューリングに使用される。
【００４０】
次の表は、例示を目的として、５０個のリソースブロックのシステム帯域幅と、ｅＮｏｄｅＢにおける４つのアンテナを想定した場合における、いくつかの利用可能なＤＣＩフォーマットと一般的なビット数の概要を示している。右側の列に示したビット数は、その特定のＤＣＩのＣＲＣのビットを含む。
【００４１】
【表１】
0006438475.tif 000002
【００４２】
ユーザ機器がＰＤＣＣＨ送信を正常に受信したかを自身で識別できるようにする目的で、各ＰＤＣＣＨ（すなわちＤＣＩ）に付加される１６ビットのＣＲＣによって誤り検出が提供される。さらには、ユーザ機器が自身を対象とするＰＤＣＣＨを識別できることが必要である。このことは、理論的には、ＰＤＣＣＨペイロードに識別子を追加することによって達成できる。しかしながら、「ユーザ機器の識別情報」によってＣＲＣをスクランブルする方がより効率的であり、追加のオーバーヘッドが節約される。ＣＲＣの計算およびスクランブリングは、非特許文献２（この文書は参照によって本明細書に組み込まれている）の５.３.３.２節「CRC attachment」において３ＧＰＰによって詳細に定義されているように行うことができる。この節には、巡回冗長検査（ＣＲＣ）を通じてＤＣＩ送信に誤り検出を導入する方法が記載されている。簡潔に要約すると以下のようになる。
【００４３】
ペイロード全体を使用して、ＣＲＣパリティビットを計算する。パリティビットを計算して付加する。ユーザ機器の送信アンテナの選択が設定されていない、または適用可能ではない場合、付加した後、ＣＲＣパリティビットを対応するＲＮＴＩによってスクランブルする。
【００４４】
さらに、スクランブリングは、非特許文献２から明らかであるように、ユーザ機器の送信アンテナの選択にも依存しうる。ユーザ機器の送信アンテナの選択が設定されていない、または適用可能ではない場合、付加した後、ＣＲＣパリティビットを、アンテナ選択マスクおよび対応するＲＮＴＩによってスクランブルする。いずれの場合にも、スクランブリング処理にＲＮＴＩが関与するため、簡潔さのため、および一般性を失うことなく、実施形態の以下の説明では、ＣＲＣがＲＮＴＩによってスクランブルされる（および必要な場合にデスクランブルされる）ものと記載されているが、例えばアンテナ選択マスクなどのさらなる要素もスクランブリング処理において使用されうることを理解されたい。
【００４５】
したがって、ユーザ機器は、「ユーザ機器の識別情報」を適用することによってＣＲＣをデスクランブルし、ＣＲＣ誤りが検出されない場合、ユーザ機器は、そのＰＤＣＣＨが自身を対象とする制御情報を伝えているものと判断する。ＣＲＣを識別情報によってスクランブルする上述したプロセスにおいては、「マスキング」および「デマスキング」という用語も使用される。
【００４６】
ＤＣＩのＣＲＣをスクランブルする上述した「ユーザ機器の識別情報」は、ＳＩ−ＲＮＴＩ（システム情報無線ネットワーク一時識別子）とすることもでき、このＳＩ−ＲＮＴＩは、「ユーザ機器の識別情報」ではなく、送信される情報のタイプ（この場合にはシステム情報）に関連付けられる識別子である。ＳＩ−ＲＮＴＩは、通常では仕様において決定され、したがってすべてのユーザ機器においてあらかじめ既知である。
【００４７】
さまざまな目的に使用されるさまざまなタイプのＲＮＴＩが存在する。非特許文献４の７.１章から引用した次の表は、さまざまな１６ビットＲＮＴＩおよびその用途の概要を示している。
【００４８】
【表２】
0006438475.tif 000003
【００４９】
物理ダウンリンク制御チャネル（ＰＤＣＣＨ）および物理ダウンリンク共有チャネル（ＰＤＳＣＨ）
【００５０】
物理ダウンリンク制御チャネル（ＰＤＣＣＨ）は、例えば、ダウンリンクまたはアップリンクでデータを送信するためのリソースを割り当てるスケジューリンググラントを伝える。１つのサブフレームにおいて複数のＰＤＣＣＨを送信することができる。
【００５１】
ユーザ機器へのＰＤＣＣＨは、サブフレームの中の最初のＮＰＤＣＣＨｓｙｍｂ個のＯＦＤＭシンボル（通常では１個、２個、または３個のＯＦＤＭシンボル（ＰＣＦＩＣＨによって示される）、例外的なケースでは２個、３個、または４個のＯＦＤＭシンボル（ＰＣＦＩＣＨによって示される））で送信され、ＯＦＤＭシンボルはシステム帯域幅全体にわたり延びている。システム帯域幅は、一般にはセルまたはコンポーネントキャリアの範囲に等しい。時間領域における最初のＮＰＤＣＣＨｓｙｍｂ個のＯＦＤＭシンボルと、周波数領域におけるＮＤＬＲＢ×ＮＲＢｓｃ本のサブキャリアとによって占有される領域は、ＰＤＣＣＨ領域または制御チャネル領域とも称される。周波数領域におけるＮＤＬＲＢ×ＮＲＢｓｃ本のサブキャリアにわたる、時間領域における残りのＮＰＤＳＣＨｓｙｍｂ＝２＊ＮＤＬｓｙｍｂ−ＮＰＤＣＣＨｓｙｍｂ個のＯＦＤＭシンボルは、ＰＤＳＣＨ領域または共有チャネル領域と称される（後述する）。
【００５２】
物理ダウンリンク共有チャネル（ＰＤＳＣＨ）に関するダウンリンクグラント（すなわちリソース割当て）において、ＰＤＣＣＨは、同じサブフレーム内の（ユーザ）データのためのＰＤＳＣＨリソースを割り当てる。サブフレーム内のＰＤＣＣＨ制御チャネル領域は、一連のＣＣＥからなり、サブフレームの制御領域におけるＣＣＥの総数は、時間−周波数制御リソース全体にわたり分散している。制御チャネルの符号化率を効果的に低減するため、複数のＣＣＥを組み合わせることができる。ＣＣＥは、さまざまな符号化率を達成するためツリー構造を使用する所定の方法において組み合わされる。
【００５３】
トランスポートチャネルのレベルにおいては、ＰＤＣＣＨを介して送信される情報は、第１層／第２層（Ｌ１／Ｌ２）制御シグナリングとも称される（第１層／第２層制御シグナリングの詳細については前述した説明を参照）。
【００５４】
拡張ＰＤＣＣＨ
【００５５】
拡張ＰＤＣＣＨ（ＥＰＤＣＣＨ）は、ユーザ機器に固有な基準信号に基づいて送信される。ユーザ機器に固有な基準信号を効率的に使用する目的で、拡張ＰＤＣＣＨのマッピングは、ＰＤＳＣＨ領域内に配置される。帯域幅全体をブラインド復号しないようにするため、ＥＰＤＣＣＨのサーチスペースは物理リソースブロック（ＰＲＢ）ペアのセット内に制限される。物理リソースブロックペアのセットは、上位層のシグナリングによって最初に設定することができ、または、少なくともＥＰＤＣＣＨの検出を試みる前に受信装置によって認識されているものと想定する。
【００５６】
ＥＰＤＣＣＨは、１つまたは複数の拡張制御チャネル要素（ＥＣＣＥ）の集合からなる。さらには、ＥＣＣＥは、時間／周波数グリッドにおいてリソース要素にマッピングされたリソース要素グループから形成することができ、これらのリソース要素グループを拡張リソース要素グループ（ＥＲＥＧ）と称する。
【００５７】
時分割複信：ＴＤＤ
【００５８】
ＬＴＥは、ＴＤ−ＳＣＤＭＡ（時分割同期符号分割多重アクセス）の進化もサポートするように設計されている統一フレームワーク（harmonized framework）において周波数分割複信（ＦＤＤ）モードおよび時分割複信（ＴＤＤ）モードで動作することができる。ＴＤＤでは、時間領域においてアップリンク送信とダウンリンク送信が分離されるが、周波数は同じままである。
【００５９】
用語「複信」は、２つの装置の間の双方向通信を意味し、一方向通信と区別される。双方向の場合、各方向におけるリンクを通じての送信を、同時に（「全二重」）または交替して（「半二重」）行うことができる。
【００６０】
非ペア無線スペクトル（unpaired radio spectrum）におけるＴＤＤの場合、リソースブロックおよびリソース要素の基本的な構造は図４に示してあるが、無線フレームの複数のサブフレームのうちのいくつかをダウンリンク送信に利用することができる。残りのサブフレームは、アップリンク送信またはスペシャル（特殊）サブフレームに使用される。スペシャルサブフレームは、複数のユーザ機器から（アップリンクで）送信された信号がほぼ同時にｅＮｏｄｅＢに到着するように、アップリンク送信のタイミングを進めることを可能にするうえで重要である。信号の伝搬遅延は、（反射およびその他の類似する影響を無視すると）送信装置と受信装置との間の距離に関係するため、ｅＮｏｄｅＢに近いユーザ機器によって送信される信号は、ｅＮｏｄｅＢから遠いユーザ機器によって送信される信号よりも伝搬時間が短い。同時に到着させるためには、遠い方のユーザ機器は、近い方のユーザ機器よりも早いタイミングで信号を送信しなければならず、このことは、３ＧＰＰシステムではいわゆる「タイミングアドバンス」手順によって解決される。この場合、ＴＤＤにおいてはさらなる要件として、送信と受信が同じキャリア周波数で行われるため、時間領域において分割してダウンリンクとアップリンクを確保する必要がある。ｅＮｏｄｅＢから遠いユーザ機器は、近いユーザ機器よりも早いタイミングでアップリンク送信を開始する必要があるが、逆に、ダウンリンク信号は、近いユーザ機器の方が遠いユーザ機器よりも早いタイミングで受信する。ダウンリンク受信からアップリンク送信に回路を切り替えることができるようにする目的で、スペシャルサブフレームにはガードタイムが定義されている。タイミングアドバンスの問題にさらに対処するため、遠いユーザ機器のガードタイムは、近いユーザ機器のガードタイムよりも長い必要がある。
【００６１】
３ＧＰＰ  ＬＴＥリリース８以降においては、このＴＤＤ構造は「フレーム構造タイプ２」として公知であり、７つの異なるアップリンク−ダウンリンク構成が定義されており、これらの構成により、さまざまなダウンリンク−アップリンク比率および切り替え周期が可能である。図５は、７つの異なるＴＤＤアップリンク−ダウンリンク構成（番号：０〜６）の表を示しており、「Ｄ」はダウンリンクサブフレーム、「Ｕ」はアップリンクサブフレーム、「Ｓ」はスペシャルサブフレームを表す。表から理解できるように、７つの利用可能なＴＤＤアップリンク−ダウンリンク構成は、４０％〜９０％のダウンリンクサブフレームを提供することができる（スペシャルサブフレームの一部はダウンリンク送信に利用可能であるため、簡潔さのためスペシャルサブフレームをダウンリンクサブフレームとして数えるとき）。
【００６２】
図６は、特に、５ｍｓのスイッチポイント周期（すなわちＴＤＤ構成０，１，２，６）の場合のフレーム構造タイプ２を示している。
【００６３】
図６は、長さ１０ｍｓである無線フレームと、それぞれ５ｍｓの対応する２つのハーフフレームとを示している。無線フレームは、それぞれが１ｍｓの１０個のサブフレームから構成されており、サブフレームそれぞれには、図５の表によるアップリンク−ダウンリンク構成のそれぞれによって定義されているように、アップリンク、ダウンリンク、またはスペシャルの各タイプが割り当てられている。
【００６４】
図５から理解できるように、サブフレーム＃１はつねにスペシャルサブフレームであり、サブフレーム＃６は、ＴＤＤ構成０，１，２，６の場合にはスペシャルサブフレームであり、ＴＤＤ構成３，４，５の場合にはダウンリンクサブフレームである。スペシャルサブフレームは、３つのフィールドとして、ＤｗＰＴＳ（ダウンリンクパイロットタイムスロット）、ＧＰ（ガード期間）、およびＵｐＰＴＳ（アップリンクパイロットタイムスロット）を含む。
【００６５】
システムにおいて適用されるＴＤＤ構成は、移動局および基地局において実行される数多くの動作、例えば、無線リソース管理（ＲＲＭ）測定、チャネル状態情報（ＣＳＩ）測定、チャネル推定、ＰＤＣＣＨ検出、ＨＡＲＱタイミングなどに影響する。
【００６６】
特に、ユーザ機器は、システム情報を読み取ることで、自身の現在のセルにおけるＴＤＤ構成に関して認識し、すなわち、測定のために監視するサブフレーム、ＣＳＩの測定および報告のために監視するサブフレーム、チャネル推定を取得するための時間領域フィルタリングのために監視するサブフレーム、ＰＤＣＣＨの検出のために監視するサブフレーム、またはＵＬ／ＤＬ  ＡＣＫ／ＮＡＣＫフィードバックのために監視するサブフレームを認識する。
【００６７】
現在の半静的なＴＤＤアップリンク／ダウンリンク構成方式の欠点
【００６８】
現在、ＬＴＥ  ＴＤＤでは、半静的に設定される７つの異なるアップリンク−ダウンリンク構成（以下では静的なＴＤＤ構成と称する）を提供することによって、非対称的なＵＬ−ＤＬ割当てが可能である（図５を参照）。ＵＬ−ＤＬ割当てを調整するための現在のメカニズムは、システム情報取得手順またはシステム情報変更手順に基づいており、ＳＩＢ（システム情報ブロック）によって、特に、ＳＩＢ１におけるＴＤＤ構成パラメータによって、特定の静的なＵＬ−ＤＬ  ＴＤＤ構成が示される（システム情報のブロードキャストに関する詳細については、非特許文献５（参照によって本明細書に組み込まれている）を参照）。
【００６９】
リリース８のシステム情報変更手順では、ＴＤＤ  ＵＬ／ＤＬ再構成のためにサポートされる時間スケールは、毎６４０ｍｓ以上である。ＥＴＷＳ（地震津波警報システム）を再利用すると、ＴＤＤ  ＵＬ／ＤＬ再構成のためにサポートされる時間スケールは、設定されているデフォルトのページングサイクルに応じて毎３２０ｍｓ以上である。
【００７０】
ＴＤＤ  ＵＬ／ＤＬ構成の半静的な割当ては、瞬間的なトラフィック状況に合致することもあれば、しないこともある。静的なＴＤＤ構成を変更するための時間スケールは、かなり大きい。ダウンリンク帯域幅を広げるためにより多くのダウンリンクサブフレームを動的に配置する目的で、あるいは、隣接セルの例えばアップリンク通信またはダウンリンク通信との干渉を緩和するために、より多くの空白のアップリンクサブフレームを動的に配置する目的で、ＴＤＤ  ＵＬ／ＤＬ構成をその時点のトラフィック需要により迅速に適合させることが有利である。したがって、リリース１２では、ＴＤＤ  ＵＬ／ＤＬ構成のより動的な変更が採用されるものと予測される。
【００７１】
３ＧＰＰは、さまざまなタイプのＴＤＤ  ＵＬ／ＤＬ再構成の時間スケールおよびそれそらの利点／欠点を検討するため、検討項目として非特許文献６に着手した。一般的に、この検討項目の結論として、ＴＤＤ  ＵＬ／ＤＬ再構成の時間スケールが速いと、ＴＤＤ  ＵＬ／ＤＬ再構成の時間スケールが遅いよりも大きな恩恵が得られる。さらには、要求される仕様の変更量は、サポートされる再構成の時間スケールに依存する。
【００７２】
迅速なＴＤＤ  ＵＬ／ＤＬ構成方式の必要性
【００７３】
最近、ＴＤＤ構成の再設定について深く検討されるようになっている。変化するチャネル条件およびトラフィック条件に、より良好に適合させることができるように、以前よりもＴＤＤ構成が頻繁に再設定される傾向にある。
【００７４】
ＴＤＤ構成が変更されるおよその間隔は、例えば１０ｍｓ〜６４０ｍｓの範囲内である。さらに、ＴＤＤ構成の変更は、通常では複数のユーザ機器に通知しなければならない。
【００７５】
上記の２つの要件によって、ＴＤＤ構成の変更を通知する処理は単純ではない。ユーザ機器ごとにメッセージを送信すれば、各ユーザ機器に新しいＴＤＤ構成がつねに通知されるが、このような方法においては、チャネルにおけるＤＣＩ情報量が増えて、その分だけ利用可能なデータ容量が減少する。逆に、ブロードキャストメッセージを使用すると、このような大きなＤＣＩオーバーヘッドは発生しないが、必要な頻度のＴＤＤ構成の変更に対応するにはブロードキャストメッセージの頻度が少なすぎるため、適切ではない。
【先行技術文献】
【非特許文献】
【００７６】
【非特許文献１】3GPP TS 36.211, “Evolved Universal Terrestrial Radio Access (E-UTRA); Physical Channels and Modulation (Release 8)”
【非特許文献２】3GPP TS 36.212, “Multiplexing and channel coding”
【非特許文献３】LTE - The UMTS Long Term Evolution - From Theory to Practice, Edited by Stefanie Sesia, Issam Toufik, Matthew Baker
【非特許文献４】3GPP 36.321
【非特許文献５】3GPP TS 36.331, v11.4.0
【非特許文献６】TR 36.828 v11.0.0
【非特許文献７】3GPP TS 36.213 v11.3.0
【発明の概要】
【発明が解決しようとする課題】
【００７７】
本発明の目的の１つは、ＴＤＤ再構成の値を複数のユーザ機器に頻繁に送信できるようにすることである。本発明のより一般的な目的は、ブロードキャストメッセージでは間に合わない要件下で、いくつかのユーザ機器に到達させる必要のあるペイロードを送信することである。
【課題を解決するための手段】
【００７８】
この目的は、独立請求項の主題によって達成される。
【００７９】
より詳細には、本発明の一実施形態は、制御チャネルを送信するためのリソースを決定する方法であって、第１のユーザ機器と、第１のユーザ機器と同じセル内の第２のユーザ機器とにおいて、設定可能な無線ネットワーク一時識別子（ＲＮＴＩ）を格納するステップ、を含み、設定可能な無線ネットワーク一時識別子が、第１のユーザ機器および第２のユーザ機器に対して同じ値を有し、設定可能な無線ネットワーク一時識別子が、第１のユーザ機器および第２のユーザ機器のための、拡張物理ダウンリンク制御チャネル（ＥＰＤＤＣＨ）内の共通サーチスペース、を定義するように設定される、方法、に関する。
【００８０】
いくつかの実施形態においては、設定可能な無線ネットワーク一時識別子の値は、固定値、特に、０である、または、セル検出手順に関連付けられる値、特に、物理セルＩＤに基づいて、またはマスター情報ブロックによって伝えられる値に基づいて、または物理ブロードキャストチャネルの値に基づいて、または無線リソース制御（ＲＲＣ）情報要素の値に基づいて、またはこれらの値の２つ以上に基づいて、計算される。
【００８１】
いくつかの実施形態においては、設定可能な無線ネットワーク一時識別子の値は、物理セルＩＤ＋１に等しい。
【００８２】
いくつかの実施形態においては、本方法は、設定可能な無線ネットワーク一時識別子の値に基づいて、第１のユーザ機器もしくは第２のユーザ機器またはその両方にデータを送信するステップ、をさらに含む。
【００８３】
いくつかの実施形態においては、データを送信するステップは、設定可能な無線ネットワーク一時識別子の値に基づいて定義される１つまたは複数の拡張制御チャネル要素（ＥＣＣＥ）にデータをマッピングするステップ、を含む。
【００８４】
いくつかの実施形態においては、データを送信するステップは、データに巡回冗長検査（ＣＲＣ）符号を付加するステップ、を含み、巡回冗長検査符号は、設定可能な無線ネットワーク一時識別子を使用することによって、特に、巡回冗長検査符号と設定可能な無線ネットワーク一時識別子の２進ＸＯＲ演算によって、マスクされる。
【００８５】
いくつかの実施形態においては、データを送信するステップは、データに巡回冗長検査符号を付加するステップ、を含み、巡回冗長検査符号は、セル無線ネットワーク一時識別子（Ｃ−ＲＮＴＩ）を使用することによって、特に、巡回冗長検査符号とセル無線ネットワーク一時識別子の２進ＸＯＲ演算によって、マスクされる。
【００８６】
いくつかの実施形態においては、高いアグリゲーションレベルのマッピング、特に、利用可能な最も高い２つのアグリゲーションレベルのマッピングに、設定可能な無線ネットワーク一時識別子が使用され、残りのアグリゲーションレベルのうちの少なくとも１つのマッピングには、設定可能な無線ネットワーク一時識別子が使用されない。
【００８７】
いくつかの実施形態においては、２つの分散型の拡張物理ダウンリンク制御チャネル−物理リソースブロックセット（２つの分散型のＥＰＤＣＣＨ−ＰＲＢセット）（distributed Enhanced Physical Downlink Control Channel-Physical Resource Block sets）が使用され、２つの拡張物理ダウンリンク制御チャネル−物理リソースブロックセットのうちの第１のセットが、２つの分散型の拡張物理ダウンリンク制御チャネル−物理リソースブロックセットのうちの第２のセットよりも多くの高いアグリゲーションレベルの候補を提供し、２つの分散型の拡張物理ダウンリンク制御チャネル−物理リソースブロックセットのうちの第１のセットのみのマッピングに、設定可能な無線ネットワーク一時識別子が使用される。
【００８８】
いくつかの実施形態においては、１つの分散型の拡張物理ダウンリンク制御チャネル−物理リソースブロックセットと、１つの局在型の拡張物理ダウンリンク制御チャネル−物理リソースブロックセット（localized Enhanced Physical Downlink Control Channel-Physical Resource Block set）が使用され、分散型の拡張物理ダウンリンク制御チャネル−物理リソースブロックセットのみのマッピングに、設定可能な無線ネットワーク一時識別子が使用される。
【００８９】
いくつかの実施形態においては、低いアグリゲーションレベルのマッピング、特に、利用可能な最も低い２つのアグリゲーションレベルのマッピングに、設定可能な無線ネットワーク一時識別子が使用され、残りのアグリゲーションレベルのうちの少なくとも１つのマッピングには、設定可能な無線ネットワーク一時識別子が使用されない。
【００９０】
いくつかの実施形態においては、２つの分散型の拡張物理ダウンリンク制御チャネル−物理リソースブロックセットが使用され、２つの拡張物理ダウンリンク制御チャネル−物理リソースブロックセットのうちの第２のセットが、２つの分散型の拡張物理ダウンリンク制御チャネル−物理リソースブロックセットのうちの第１のセットよりも多くの低いアグリゲーションレベルの候補を提供し、２つの分散型の拡張物理ダウンリンク制御チャネル−物理リソースブロックセットのうちの第２のセットのみのマッピングに、設定可能な無線ネットワーク一時識別子が使用される。
【００９１】
いくつかの実施形態においては、１つの分散型の拡張物理ダウンリンク制御チャネル−物理リソースブロックセットと、１つの局在型の拡張物理ダウンリンク制御チャネル−物理リソースブロックセットが使用され、局在型の拡張物理ダウンリンク制御チャネル−物理リソースブロックセットのみのマッピングに、設定可能な無線ネットワーク一時識別子が使用される。
【００９２】
いくつかの実施形態においては、データは、第１のユーザ機器もしくは第２のユーザ機器またはその両方と、送信装置との間で通信するための時分割複信（ＴＤＤ）アップリンク／ダウンリンク構成の値を定義する。
【００９３】
いくつかの実施形態においては、データは、無線フレームの固定されたダウンリンクサブフレームのみにおいて、特に、サブフレーム０およびサブフレーム５において、送信される。
【００９４】
いくつかの実施形態においては、無線フレームの残りのサブフレームにおいて１つまたは複数の拡張制御チャネル要素にデータをマッピングする場合には、セル無線ネットワーク一時識別子が使用される。
【００９５】
いくつかの実施形態においては、３つの拡張物理ダウンリンク制御チャネル−物理リソースブロックセットが利用可能であり、これら３つの拡張物理ダウンリンク制御チャネル−物理リソースブロックセットのうちの１つのみのマッピングに、設定可能な無線ネットワーク一時識別子が使用される。
【００９６】
さらに、本発明の一実施形態は、第１のユーザ機器と、第１のユーザ機器と同じセル内の第２のユーザ機器のための、拡張物理ダウンリンク制御チャネル内の共通サーチスペースを定義する目的で、制御チャネルを送信するためのリソースを、設定可能な無線ネットワーク一時識別子を使用して決定するように構成されている送信装置、に関する。
【００９７】
いくつかの実施形態においては、設定可能な無線ネットワーク一時識別子の値は、固定値、特に、０である、または、セル検出手順に関連付けられる値、特に、物理セルＩＤに基づいて、またはマスター情報ブロックの値に基づいて、または物理ブロードキャストチャネルの値に基づいて、または無線リソース制御の値に基づいて、またはこれらの値の２つ以上に基づいて、計算される。
【００９８】
いくつかの実施形態においては、設定可能な無線ネットワーク一時識別子の値は、物理セルＩＤ＋１に等しい。
【００９９】
いくつかの実施形態においては、本送信装置は、設定可能な無線ネットワーク一時識別子の値に基づいて、第１のユーザ機器もしくは第２のユーザ機器またはその両方にデータを送信するようにさらに構成されている。
【０１００】
いくつかの実施形態においては、本送信装置は、データを送信するために、設定可能な無線ネットワーク一時識別子の値に基づいて定義される１つまたは複数の拡張制御チャネル要素にデータをマッピングするようにさらに構成されている。
【０１０１】
いくつかの実施形態においては、本送信装置は、データを送信するために、データに巡回冗長検査符号を付加するようにさらに構成されており、巡回冗長検査符号は、設定可能な無線ネットワーク一時識別子を使用することによって、特に、巡回冗長検査符号と設定可能な無線ネットワーク一時識別子の２進ＸＯＲ演算によって、マスクされる。
【０１０２】
いくつかの実施形態においては、本送信装置は、データを送信するために、送信されるデータに巡回冗長検査符号を付加するようにさらに構成されており、巡回冗長検査符号は、セル無線ネットワーク一時識別子を使用することによって、特に、巡回冗長検査符号とセル無線ネットワーク一時識別子の２進ＸＯＲ演算によって、マスクされる。
【０１０３】
いくつかの実施形態においては、本送信装置は、高いアグリゲーションレベルのマッピング、特に、利用可能な最も高い２つのアグリゲーションレベルのマッピングに、設定可能な無線ネットワーク一時識別子を使用するように構成されており、本送信装置は、残りのアグリゲーションレベルのうちの少なくとも１つのマッピングには、設定可能な無線ネットワーク一時識別子を使用しないように構成されている。
【０１０４】
いくつかの実施形態においては、本送信装置は、２つの分散型の拡張物理ダウンリンク制御チャネル−物理リソースブロックセットを使用するように構成されており、２つの拡張物理ダウンリンク制御チャネル−物理リソースブロックセットのうちの第１のセットが、２つの分散型の拡張物理ダウンリンク制御チャネル−物理リソースブロックセットのうちの第２のセットよりも多くの高いアグリゲーションレベルの候補を提供し、本送信装置は、２つの分散型の拡張物理ダウンリンク制御チャネル−物理リソースブロックセットのうちの第１のセットのみのマッピングに、設定可能な無線ネットワーク一時識別子を使用するように構成されている。
【０１０５】
いくつかの実施形態においては、本送信装置は、１つの分散型の拡張物理ダウンリンク制御チャネル−物理リソースブロックセットと、１つの局在型の拡張物理ダウンリンク制御チャネル−物理リソースブロックセットを使用するように構成されており、本送信装置は、分散型の拡張物理ダウンリンク制御チャネル−物理リソースブロックセットのみのマッピングに、設定可能な無線ネットワーク一時識別子を使用するように構成されている。
【０１０６】
いくつかの実施形態においては、本送信装置は、低いアグリゲーションレベルのマッピング、特に、利用可能な最も低い２つのアグリゲーションレベルのマッピングに、設定可能な無線ネットワーク一時識別子を使用するように構成されており、本送信装置は、残りのアグリゲーションレベルのうちの少なくとも１つのマッピングには、設定可能な無線ネットワーク一時識別子を使用しないように構成されている。
【０１０７】
いくつかの実施形態においては、本送信装置は、２つの分散型の拡張物理ダウンリンク制御チャネル−物理リソースブロックセットを使用するように構成されており、２つの拡張物理ダウンリンク制御チャネル−物理リソースブロックセットのうちの第２のセットが、２つの分散型の拡張物理ダウンリンク制御チャネル−物理リソースブロックセットのうちの第１のセットよりも多くの低いアグリゲーションレベルの候補を提供し、本送信装置は、２つの分散型の拡張物理ダウンリンク制御チャネル−物理リソースブロックセットのうちの第２のセットのみのマッピングに、設定可能な無線ネットワーク一時識別子を使用するように構成されている。
【０１０８】
いくつかの実施形態においては、本送信装置は、１つの分散型の拡張物理ダウンリンク制御チャネル−物理リソースブロックセットと、１つの局在型の拡張物理ダウンリンク制御チャネル−物理リソースブロックセットを使用するように構成されており、本送信装置は、局在型の拡張物理ダウンリンク制御チャネル−物理リソースブロックセットのみのマッピングに、設定可能な無線ネットワーク一時識別子を使用するように構成されている。
【０１０９】
いくつかの実施形態においては、データは、第１のユーザ機器もしくは第２のユーザ機器またはその両方と、送信装置との間で通信するための時分割複信（ＴＤＤ）構成の値を定義する。
【０１１０】
いくつかの実施形態においては、本送信装置は、固定されたダウンリンクサブフレームのみにおいて、特に、サブフレーム０およびサブフレーム５において、データを送信するように構成されている。
【０１１１】
いくつかの実施形態においては、本送信装置は、残りのサブフレームにおいては、セル無線ネットワーク一時識別子（Ｃ−ＲＮＴＩ）を使用してデータを送信するように構成されている。
【０１１２】
いくつかの実施形態においては、本送信装置は、３つの拡張物理ダウンリンク制御チャネル−物理リソースブロックセットを使用するように構成されており、本送信装置は、これら３つの拡張物理ダウンリンク制御チャネル−物理リソースブロックセットのうちの１つのみのマッピングに、設定可能な無線ネットワーク一時識別子を使用するように構成されている。
【０１１３】
さらに、本発明の一実施形態は、制御チャネルを受信するリソースを求める方法であって、第１のユーザ機器において、設定可能な無線ネットワーク一時識別子を格納するステップ、を含み、第１のユーザ機器と、第１のユーザ機器と同じセル内の第２のユーザ機器とに共通のサーチスペースを拡張物理ダウンリンク制御チャネル内に定義するために、第１のユーザ機器によって、設定可能な無線ネットワーク一時識別子が使用される、方法、にさらに関する。
【０１１４】
いくつかの実施形態においては、設定可能な無線ネットワーク一時識別子の値は、固定値、特に、０である、または、セル検出手順に関連付けられる値、特に、物理セルＩＤに基づいて、またはマスター情報ブロックの値に基づいて、または物理ブロードキャストチャネルの値に基づいて、または無線リソース制御の値に基づいて、またはこれらの値の２つ以上に基づいて、計算される。
【０１１５】
いくつかの実施形態においては、設定可能な無線ネットワーク一時識別子の値は、物理セルＩＤ＋１に等しい。
【０１１６】
いくつかの実施形態においては、本方法は、設定可能な無線ネットワーク一時識別子の値に基づいてデータを受信するステップ、をさらに含む。
【０１１７】
いくつかの実施形態においては、データを受信するステップは、設定可能な無線ネットワーク一時識別子の値に基づいて定義される１つまたは複数の拡張制御チャネル要素からデータをブラインド復号するステップ、を含む。
【０１１８】
いくつかの実施形態においては、データを受信するステップは、設定可能な無線ネットワーク一時識別子を使用することによって、特に、巡回冗長検査符号と設定可能な無線ネットワーク一時識別子の２進ＸＯＲ演算によって、巡回冗長検査符号をチェックするステップ、を含む。
【０１１９】
いくつかの実施形態においては、データを受信するステップは、セル無線ネットワーク一時識別子を使用することによって、特に、巡回冗長検査符号とセル無線ネットワーク一時識別子の２進ＸＯＲ演算によって、巡回冗長検査符号をチェックするステップ、を含む。
【０１２０】
いくつかの実施形態においては、高いアグリゲーションレベル、特に、利用可能な最も高い２つのアグリゲーションレベルのサーチスペースの定義に、設定可能な無線ネットワーク一時識別子が使用され、残りのアグリゲーションレベルのうちの少なくとも１つのアグリゲーションレベルのサーチスペースの定義には、設定可能な無線ネットワーク一時識別子が使用されない。
【０１２１】
いくつかの実施形態においては、２つの分散型の拡張物理ダウンリンク制御チャネル−物理リソースブロックセットが使用され、２つの拡張物理ダウンリンク制御チャネル−物理リソースブロックセットのうちの第１のセットが、２つの分散型の拡張物理ダウンリンク制御チャネル−物理リソースブロックセットのうちの第２のセットよりも多くの高いアグリゲーションレベルの候補を提供し、２つの分散型の拡張物理ダウンリンク制御チャネル−物理リソースブロックセットのうちの第１のセットのみのサーチスペースの定義に、設定可能な無線ネットワーク一時識別子が使用される。
【０１２２】
いくつかの実施形態においては、１つの分散型の拡張物理ダウンリンク制御チャネル−物理リソースブロックセットと、１つの局在型の拡張物理ダウンリンク制御チャネル−物理リソースブロックセットが使用され、分散型の拡張物理ダウンリンク制御チャネル−物理リソースブロックセットのみのサーチスペースの定義に、設定可能な無線ネットワーク一時識別子が使用される。
【０１２３】
いくつかの実施形態においては、低いアグリゲーションレベル、特に、利用可能な最も低い２つのアグリゲーションレベルのサーチスペースの定義に、設定可能な無線ネットワーク一時識別子が使用され、残りのアグリゲーションレベルのうちの少なくとも１つのアグリゲーションレベルのサーチスペースの定義には、設定可能な無線ネットワーク一時識別子が使用されない。
【０１２４】
いくつかの実施形態においては、２つの分散型の拡張物理ダウンリンク制御チャネル−物理リソースブロックセットが使用され、２つの拡張物理ダウンリンク制御チャネル−物理リソースブロックセットのうちの第２のセットが、２つの分散型の拡張物理ダウンリンク制御チャネル−物理リソースブロックセットのうちの第１のセットよりも多くの低いアグリゲーションレベルの候補を提供し、２つの分散型の拡張物理ダウンリンク制御チャネル−物理リソースブロックセットのうちの第２のセットのみのサーチスペースの定義に、設定可能な無線ネットワーク一時識別子が使用される。
【０１２５】
いくつかの実施形態においては、１つの分散型の拡張物理ダウンリンク制御チャネル−物理リソースブロックセットと、１つの局在型の拡張物理ダウンリンク制御チャネル−物理リソースブロックセットが使用され、局在型の拡張物理ダウンリンク制御チャネル−物理リソースブロックセットのみのサーチスペースの定義に、設定可能な無線ネットワーク一時識別子が使用される。
【０１２６】
いくつかの実施形態においては、データは、送信装置と第１のユーザ機器との間で通信するための時分割複信（ＴＤＤ）構成の値を定義する。
【０１２７】
いくつかの実施形態においては、データは、固定されたダウンリンクサブフレームのみにおいて、特に、サブフレーム０およびサブフレーム５において、受信される。
【０１２８】
いくつかの実施形態においては、残りのサブフレームにおいては、セル無線ネットワーク一時識別子を使用してデータを受信する。
【０１２９】
いくつかの実施形態においては、３つの拡張物理ダウンリンク制御チャネル−物理リソースブロックセットが利用可能であり、これら３つの拡張物理ダウンリンク制御チャネル−物理リソースブロックセットのうちの１つのみのサーチスペースの定義に、設定可能な無線ネットワーク一時識別子が使用される。
【０１３０】
さらに、本発明の一実施形態は、設定可能な無線ネットワーク一時識別子を格納するように構成されているユーザ機器であって、ユーザ機器と、ユーザ機器と同じセル内の第２のユーザ機器とに共通のサーチスペースを拡張物理ダウンリンク制御チャネル内に定義するために、設定可能な無線ネットワーク一時識別子を使用する、ユーザ機器、に関する。
【０１３１】
いくつかの実施形態においては、設定可能な無線ネットワーク一時識別子の値は、固定値、特に、０である、または、セル検出手順に関連付けられる値、特に、物理セルＩＤに基づいて、またはマスター情報ブロックの値に基づいて、または物理ブロードキャストチャネルの値に基づいて、または無線リソース制御の値に基づいて、またはこれらの値の２つ以上に基づいて、計算される。
【０１３２】
いくつかの実施形態においては、設定可能な無線ネットワーク一時識別子の値は、物理セルＩＤ＋１に等しい。
【０１３３】
いくつかの実施形態においては、本ユーザ機器は、設定可能な無線ネットワーク一時識別子の値に基づいてデータを受信するようにさらに構成されている。
【０１３４】
いくつかの実施形態においては、本ユーザ機器は、設定可能な無線ネットワーク一時識別子の値に基づいて定義される１つまたは複数の拡張制御チャネル要素からデータをブラインド復号するように構成されている。
【０１３５】
いくつかの実施形態においては、本ユーザ機器は、設定可能な無線ネットワーク一時識別子を使用することによって、特に、巡回冗長検査符号と設定可能な無線ネットワーク一時識別子の２進ＸＯＲ演算によって、巡回冗長検査符号をチェックするように構成されている。
【０１３６】
いくつかの実施形態においては、本ユーザ機器は、セル無線ネットワーク一時識別子を使用することによって、特に、巡回冗長検査符号とセル無線ネットワーク一時識別子の２進ＸＯＲ演算によって、巡回冗長検査符号をチェックするように構成されている。
【０１３７】
いくつかの実施形態においては、本ユーザ機器は、高いアグリゲーションレベル、特に、利用可能な最も高い２つのアグリゲーションレベルのサーチスペースの定義に、設定可能な無線ネットワーク一時識別子を使用するように構成されており、本ユーザ機器は、残りのアグリゲーションレベルのうちの少なくとも１つのアグリゲーションレベルのサーチスペースの定義には、設定可能な無線ネットワーク一時識別子を使用しないように構成されている。
【０１３８】
いくつかの実施形態においては、２つの分散型の拡張物理ダウンリンク制御チャネル−物理リソースブロックセットが使用され、２つの拡張物理ダウンリンク制御チャネル−物理リソースブロックセットのうちの第１のセットが、２つの分散型の拡張物理ダウンリンク制御チャネル−物理リソースブロックセットのうちの第２のセットよりも多くの高いアグリゲーションレベルの候補を提供し、本ユーザ機器は、２つの分散型の拡張物理ダウンリンク制御チャネル−物理リソースブロックセットのうちの第１のセットのみのサーチスペースの定義に、設定可能な無線ネットワーク一時識別子を使用するように構成されている。
【０１３９】
いくつかの実施形態においては、１つの分散型の拡張物理ダウンリンク制御チャネル−物理リソースブロックセットと、１つの局在型の拡張物理ダウンリンク制御チャネル−物理リソースブロックセットが使用され、本ユーザ機器は、分散型の拡張物理ダウンリンク制御チャネル−物理リソースブロックセットのみのサーチスペースの定義に、設定可能な無線ネットワーク一時識別子を使用するように構成されている。
【０１４０】
いくつかの実施形態においては、本ユーザ機器は、低いアグリゲーションレベル、特に、利用可能な最も低い２つのアグリゲーションレベルのサーチスペースの定義にのみ、設定可能な無線ネットワーク一時識別子を使用するように構成されており、本ユーザ機器は、残りのアグリゲーションレベルのうちの少なくとも１つのアグリゲーションレベルのサーチスペースの定義には、設定可能な無線ネットワーク一時識別子を使用しないように構成されている。
【０１４１】
いくつかの実施形態においては、２つの分散型の拡張物理ダウンリンク制御チャネル−物理リソースブロックセットが使用され、２つの拡張物理ダウンリンク制御チャネル−物理リソースブロックセットのうちの第２のセットが、２つの分散型の拡張物理ダウンリンク制御チャネル−物理リソースブロックセットのうちの第１のセットよりも多くの低いアグリゲーションレベルの候補を提供し、本ユーザ機器は、２つの分散型の拡張物理ダウンリンク制御チャネル−物理リソースブロックセットのうちの第２のセットのみのサーチスペースの定義に、設定可能な無線ネットワーク一時識別子を使用するように構成されている。
【０１４２】
いくつかの実施形態においては、１つの分散型の拡張物理ダウンリンク制御チャネル−物理リソースブロックセットと、１つの局在型の拡張物理ダウンリンク制御チャネル−物理リソースブロックセットが使用され、本ユーザ機器は、局在型の拡張物理ダウンリンク制御チャネル−物理リソースブロックセットのみのサーチスペースの定義に、設定可能な無線ネットワーク一時識別子を使用するように構成されている。
【０１４３】
いくつかの実施形態においては、データは、送信装置とユーザ機器との間で通信するための時分割複信（ＴＤＤ）構成の値を定義する。
【０１４４】
いくつかの実施形態においては、本ユーザ機器は、固定されたダウンリンクサブフレームのみにおいて、特に、サブフレーム０およびサブフレーム５において、データを受信するように構成されている。
【０１４５】
いくつかの実施形態においては、本ユーザ機器は、残りのサブフレームにおいては、セル無線ネットワーク一時識別子を使用してデータを受信するように構成されている。
【０１４６】
いくつかの実施形態においては、３つの拡張物理ダウンリンク制御チャネル−物理リソースブロックセットが利用可能であり、本ユーザ機器は、これら３つの拡張物理ダウンリンク制御チャネル−物理リソースブロックセットのうちの１つのみのサーチスペースの定義に、設定可能な無線ネットワーク一時識別子を使用するように構成されている。
【０１４７】
本発明は、添付の図面を参照することによって深く理解されるであろう。しかしながら、図面に対応する実施形態は、いくつかの可能な設定・構成にすぎず、上述した個々の特徴は、互いに独立して実施することができる、または省くことができる。図面に示した同等の要素には、同等の参照記号を付してある。図面に示した同等の要素に関連する説明は、部分的に省略されていることがある。
【図面の簡単な説明】
【０１４８】
【図１】３ＧＰＰ  ＬＴＥシステムの例示的なアーキテクチャを概略的に示している。
【図２】３ＧＰＰ  ＬＴＥのＥ−ＵＴＲＡＮアーキテクチャ全体の例示的な概要を概略的に示している。
【図３】３ＧＰＰ  ＬＴＥ（リリース８／９の時点）において定義されているダウンリンクコンポーネントキャリアにおける例示的なサブフレーム境界を概略的に示している。
【図４】３ＧＰＰ  ＬＴＥ（リリース８／９の時点）において定義されているダウンリンクスロットの例示的なダウンリンクリソースグリッドを概略的に示している。
【図５】現時点において標準化されている（静的な）７つのＴＤＤ  ＵＬ／ＤＬ構成０〜６と、それぞれのスイッチポイント周期とを概略的に示している。
【図６】２つのハーフフレーム（１０個のサブフレーム）からなり、５ｍｓのスイッチポイント周期の無線フレームの構造を概略的に示している。
【図７】本発明の態様による、５基の異なるユーザ機器を概略的に示している。
【発明を実施するための形態】
【０１４９】
ＬＴＥリリース１１においては、拡張ＰＤＣＣＨ（以下ではＥＰＤＣＣＨと称する）のサーチスペースには、ユーザ機器あたり最大で２つのＥＰＤＣＣＨ−ＰＲＢセットを設定することができる。特に、同じ物理リソースブロック（ＰＲＢ）からの拡張ＣＣＥ（以下ではＥＣＣＥと称する）のみがアグリゲート（結合）されるように、ＥＰＤＣＣＨを介してのＤＣＩのブラインド復号は、各ＥＰＤＣＣＨ−ＰＲＢセットごとに個別に実行される。ユーザ機器は、ブラインド復号に使用するべき（１つまたは複数の）ＥＣＣＥを求めなければならないとき、示された送信に対応するＲＮＴＩ値を使用する。現在、このＲＮＴＩはＣ−ＲＮＴＩおよびＳＰＳ  Ｃ−ＲＮＴＩに限られている。
【０１５０】
言い換えれば、ユーザ機器は、いくつかのＥＣＣＥのうち、ＥＰＤＣＣＨを形成しており自身のためのＤＣＩを伝えているＥＣＣＥを識別するために、自身が監視するべき（１つまたは複数の）ＥＣＣＥを認識しなければならない。このような認識は、ＲＮＴＩの値に基づいて行う。
【０１５１】
さらに、ユーザ機器は、復号されたＥＰＤＣＣＨが自身を対象としているか否かを判定するため、ブラインド復号の後にＣ−ＲＮＴＩの値を使用する。この処理は、復号されたＥＰＤＣＣＨに対して、Ｃ−ＲＮＴＩを使用してＣＲＣチェックを行うことによる。ＣＲＣチェックが失敗した場合、そのＥＰＤＣＣＨは、そのユーザ機器を宛先としていないものと判断される。したがって、現在、各ユーザ機器は自身のＣ−ＲＮＴＩを２回使用する。すなわち、ブラインド復号を行うべき対象のＥＰＤＣＣＨを形成している（１つまたは複数の）ＥＣＣＥのインデックスを識別するために１回使用し（通常では複数のＥＰＤＣＣＨ候補が存在する）、復号されたＥＰＤＣＣＨに対してＣＲＣチェックを行うために１回使用する。
【０１５２】
したがって、複数のユーザ機器において共通メッセージを受信するためにＣ−ＲＮＴＩを使用する現在の方式は効率的ではなく、なぜなら各ユーザ機器が異なるＣ−ＲＮＴＩを有することにより、すべてのユーザ機器を対象とする共通メッセージを一度だけ送ることができず、ユーザ機器ごとに１回ずつ送らなければならない。たとえ２つのＥＰＤＣＣＨ−ＰＲＢセットを使用するときでも、複数の異なるユーザ機器を、ＥＰＤＣＣＨに関して同じＰＲＢペアを監視するように設定することはできるが、ユーザ機器ごとにＣ−ＲＮＴＩが異なるため、これらのユーザ機器は異なるＥＰＤＣＣＨのブラインド復号を試みる。
【０１５３】
このことは、次の式（１）を検討することによりさらに明らかである。具体的には、次の式（１）は、（１つまたは複数の）ＥＰＤＣＣＨのブラインド復号を行うためにユーザ機器においてＥＣＣＥインデックスがどのように計算されるかを記述している。      
【０１５４】
【数１】
0006438475.tif 000004
この式において、
−  「Ｌ」は、アグリゲーションレベルを表す。
−  「Ｙｐ，ｋ」は、後から説明するようにＣ−ＲＮＴＩまたはＳＰＳ  Ｃ−ＲＮＴＩに基づいて生成される値である。ここで「ｐ」は、ｐ＝０から始まるＥＰＤＣＣＨ−ＰＲＢセットのインデックスを表し、ＬＴＥリリース１１では最大で２つの異なるＥＰＤＣＣＨ−ＰＲＢセットがサポートされる（すなわちｐ＝０およびｐ＝１がサポートされる）。「ｋ」は、０〜９の範囲内の、無線フレーム内のサブフレームインデックス、または、後から概説するように初期化値としての値ｋ＝（−１）を表す。
−  「ＮＥＣＣＥ，ｐ，ｋ」は、サブフレームｋにおけるＥＰＤＣＣＨ−ＰＲＢセットｐの中のＥＣＣＥの総数を表す。
−  「ｍ」は、０〜Ｍ−１の範囲内の値であり、ｍ番目のＥＰＤＣＣＨ候補を識別する。
−  「Ｍ」は、ＥＰＤＣＣＨ−ＰＲＢセットｐの中のアグリゲーションレベルＬにおける監視するＥＰＤＣＣＨ候補の数を表す。
−  「ｂ」は、ＥＰＤＣＣＨが監視されるサービングセルに対してキャリアインジケータフィールドを使用するようにユーザ機器が設定されている場合、キャリアインデックスを定義し、それ以外の場合にはｂ＝０である。
−  「ｉ」は、アグリゲーションレベルＬの場合に使用される拡張制御チャネル要素のインデックスを表し、０〜Ｌ−１の範囲内である。
【０１５５】
この場合、特に、Ｃ−ＲＮＴＩからの（１つまたは複数の）ＥＣＣＥのインデックスの依存性は、値「Ｙｐ，ｋ」によって与えられる。実際に、この値は、初期値Ｙｐ，−１から始まるアルゴリズムによって得られる。非特許文献７には、次の方法が開示されている。
変数Ｙｐ，ｋは、次式によって定義される。      
【０１５６】
【数２】
0006438475.tif 000005
この式において、
−  Ｙｐ，−１＝ｎＲＮＴＩ≠０
−  Ａ０＝３９８２７
−  Ａ１＝３９８２９
−  Ｄ＝６５５３７
−  
0006438475.tif 000006
、ｎｓは、０〜１９の範囲内の、無線フレーム内のスロット番号である。現在の実装においては、値Ｙｐ，−１はＣ−ＲＮＴＩまたはＳＰＳ  Ｃ−ＲＮＴＩに等しく、したがって、各ユーザ機器のための（１つまたは複数の）ＥＣＣＥのインデックスは、個々のユーザ機器に固有なＣ−ＲＮＴＩまたはＳＰＳ  Ｃ−ＲＮＴＩに基づいて求められる。これに加えて、Ｃ−ＲＮＴＩおよびＳＰＳ  Ｃ−ＲＮＴＩは、ブラインド復号に成功したＥＰＤＣＣＨを、マスクとしてＣ−ＲＮＴＩまたはＳＰＳ  Ｃ−ＲＮＴＩを使用してのＣＲＣチェックによって確認する目的にもさらに使用される。
【０１５７】
したがって、上の説明から理解できるように、各ユーザ機器によってブラインド復号が行われる対象のＥＰＤＣＣＨ候補を形成する（１つまたは複数の）ＥＣＣＥのインデックスは、Ｃ−ＲＮＴＩまたはＳＰＳ  Ｃ−ＲＮＴＩに基づいて求められる。すなわち、Ｃ−ＲＮＴＩおよびＳＰＳ  Ｃ−ＲＮＴＩはユーザ機器ごとに異なるため、異なるユーザ機器は異なるＥＰＤＣＣＨのブラインド復号を試みる。このことは、複数のユーザ機器に同じデータを伝えようとする単一のｅＮｏｄｅＢは、そのデータを複数の異なるＥＰＤＣＣＨを通じて、したがって複数の異なるＥＣＣＥを通じて、複数の異なるユーザ機器に送信しなければならないことを意味する。データが送信される頻度が高すぎる場合、および送信されるデータが複数のユーザ機器に対して同じである場合、上述した結果として、受け入れることのできない送信オーバーヘッドが生じる。
【０１５８】
本発明では、新規のＲＮＴＩフィールド（以下では設定可能なＲＮＴＩと称する）を定義し、ブラインド復号の対象の（１つまたは複数の）ＥＰＤＣＣＨを決定するときにＣ−ＲＮＴＩの代わりにこの設定可能なＲＮＴＩを使用することによって、上記の問題を解決する。この方法では、ユーザ機器は、新規の設定可能なＲＮＴＩの値に基づいて、ＥＰＤＣＣＨ候補のＰＲＢを求める。言い換えれば、ブラインド復号する対象のＥＰＤＣＣＨ候補を形成しているＥＣＣＥのインデックスを、設定可能なＲＮＴＩの値に基づいて選択する。
【０１５９】
新規の設定可能なＲＮＴＩのビットサイズは、Ｃ−ＲＮＴＩのビットサイズに近いサイズとすることができる。ただし、Ｃ−ＲＮＴＩは各ユーザ機器に固有であるのに対して、新規の設定可能なＲＮＴＩは、同じセル内の２基以上のユーザ機器に対して同じ値として設定することができる。場合によっては、セル内の最大ですべてのユーザ機器に対して、設定可能なＲＮＴＩの値を同じ値に設定することができる。いずれの場合にも、新規の設定可能なＲＮＴＩの値を同じにユーザ機器の数に関する決定は、ｅＮｏｄｅＢ（ｅＮＢ）に委ねられる。
【０１６０】
具体的には、上の式（１）を参照すると、値Ｙｐ，−１は、新規の設定可能なＲＮＴＩに対応する。この方法では、ユーザ機器の（１つまたは複数の）ＥＣＣＥのインデックスおよびしたがって（１つまたは複数の）ＥＰＤＣＣＨ候補は、新規の設定可能なＲＮＴＩに基づく。結果として、新規の設定可能なＲＮＴＩの値が同じである２基のユーザ機器は、同じ（１つまたは複数の）ＥＣＣＥおよび同じ（１つまたは複数の）ＥＰＤＣＣＨ候補のブラインド復号を試みる。
【０１６１】
ＥＰＤＣＣＨ候補が正常に復号された後、新規の設定可能なＲＮＴＩの値と、Ｃ−ＲＮＴＩの値とに基づいて、ＣＲＣチェックを行うことができる。この方法では、同じ（１つまたは複数の）ＥＣＣＥを介して２種類のＤＣＩデータを送信することができる。このことについて、図７を参照しながら説明する。具体的には、図７を参照すると、以下の５基の異なるユーザ機器（ユーザ機器１〜ユーザ機器５）を概略的に示してある。
−  ユーザ機器１は、ＲＮＴＩ１に等しいＲＮＴＩの値と、設定可能なＲＮＴＩ１に等しい新規の設定可能なＲＮＴＩの値とを有する。
−  ユーザ機器２は、ＲＮＴＩ２に等しいＲＮＴＩの値と、設定可能なＲＮＴＩ１に等しい新規の設定可能なＲＮＴＩの値とを有する。
−  ユーザ機器３は、ＲＮＴＩ３に等しいＲＮＴＩの値と、設定可能なＲＮＴＩ２に等しい新規の設定可能なＲＮＴＩの値とを有する。
−  ユーザ機器４は、ＲＮＴＩ４に等しいＲＮＴＩの値と、設定可能なＲＮＴＩ２に等しい新規の設定可能なＲＮＴＩの値とを有する。
−  ユーザ機器５は、ＲＮＴＩ５に等しいＲＮＴＩの値と、設定可能なＲＮＴＩ３に等しい新規の設定可能なＲＮＴＩの値とを有する。
【０１６２】
あるＥＰＤＤＣＨが、１基のユーザ機器（ユーザ機器１など）を対象とする場合、送信する前に、ＣＲＣ計算においてＣ−ＲＮＴＩ１を使用することによってそのＰＤＣＣＨをマスクすることができる。この方法では、ユーザ機器１およびユーザ機器２の両方が同じ（１つまたは複数の）ＥＣＣＥのブラインド復号を試み、なぜなら、ＥＣＣＥのインデックスは設定可能なＲＮＴＩの値に基づいて求められ、この値が、ユーザ機器１およびユーザ機器２の両方において同じ値（設定可能なＲＮＴＩ１）であるためである。しかしながら、ユーザ機器２はメッセージを破棄し、なぜなら、設定可能なＲＮＴＩ１に対するＣＲＣチェックと、Ｃ−ＲＮＴＩ２に対するＣＲＣチェックのいずれも成功しないためである。同様に、ユーザ機器１は、設定可能なＲＮＴＩ１に対するＣＲＣチェックには成功しない。しかしながら、Ｃ−ＲＮＴＩ１に対するＣＲＣチェックには成功する。したがって、ユーザ機器１のみが、このＥＰＤＣＣＨの内容を正常に復号する。
【０１６３】
これとは異なり、あるＥＰＤＣＣＨが２基以上のユーザ機器（ユーザ機器１およびユーザ機器２など）を対象としている場合、送信する前に、ＣＲＣ計算において設定可能なＲＮＴＩ１を使用することによってそのＰＤＣＣＨをマスクすることができる。この方法においても、ユーザ機器１およびユーザ機器２の両方が同じ（１つまたは複数の）ＥＣＣＥのブラインド復号を試み、なぜなら、ＥＣＣＥのインデックスは設定可能なＲＮＴＩの値に基づいて求められ、この値が、ユーザ機器１およびユーザ機器２の両方において同じ値（設定可能なＲＮＴＩ１）であるためである。その後、ユーザ機器２およびユーザ機器１の両方が、設定可能なＲＮＴＩ１に対するＣＲＣチェックに成功する。したがって、ユーザ機器１およびユーザ機器２に同じメッセージを個別に２回送る必要なしに、１つのＥＣＣＥがユーザ機器１およびユーザ機器２の両方に到達する。
【０１６４】
本発明のこの方法のさらなる利点として、追加で実行する必要のあるＣＲＣ演算が１回のみであるため、ユーザ機器における処理量が大幅に増大することはない。これとは対照的に、新規の設定可能なＲＮＴＩおよびＣ−ＲＮＴＩに基づいて異なるＥＣＣＥを２回求めて、対応するブラインド復号を行うオプションでは、余分なビタビ演算が加わり、ずっと多くの計算量が要求される。
【０１６５】
上の例では、ユーザ機器は、最初に新規の設定可能なＲＮＴＩの値に対してＣＲＣチェックを行い、次いでＣ−ＲＮＴＩに対してＣＲＣチェックを行うものと説明したが、本発明はこれに限定されない。これに代えて、逆の方法として、ユーザ機器は最初にＣ−ＲＮＴＩ値に対してＣＲＣチェックを行い、次いで新規の設定可能なＲＮＴＩの値に対してＣＲＣチェックを行うこともでき、あるいは、これらのチェックを並列に行うこともできる。当業者には、これは実装に依存するものであり、本発明には何ら影響しないことが理解されるであろう。
【０１６６】
ここまで、新規の設定可能なＲＮＴＩの１つの可能な使用方法について説明してきたが、以下では、新規の設定可能なＲＮＴＩを生成もしくは送信またはその両方を行う方法について説明する。
【０１６７】
新規の設定可能なＲＮＴＩは、各ＥＰＤＣＣＨ−ＰＲＢセットごとに異なる値に設定する、または、その時点で利用可能なセットの両方に対して同じ値に設定することができる。いずれの場合にも、設定可能なＲＮＴＩは、以下のメカニズムに基づいていずれかの値に設定することができる。
−  設定可能なＲＮＴＩを、固定値（例えば０に等しい値）に設定することができる。この方法では、ユーザ機器は、新規の設定可能なＲＮＴＩの値を計算する必要がなく、ｅＮＢも値を送信する必要がない。
−  設定可能なＲＮＴＩを、セル検出手順に関連付けられるパラメータ、例えば同期メカニズムにおいて使用される物理セル識別子（以下ではＰＣＩＤと称する）に基づいて、設定することができる。例えば、新規の設定可能なＲＮＴＩを、ＰＣＩＤの何らかの値に、または値０を回避するためＰＣＩＤ＋１に設定することができる。さらなる代替方法として、入力としてのＰＣＩＤに基づいて（より一般的には、セル検出手順に関連付けられる任意のパラメータに基づいて）出力値を生成することのできる任意の関数を、代わりに使用することができる。
【０１６８】
上のいずれの場合も、新規の設定可能なＲＮＴＩをｅＮＢからユーザ機器に送信する必要がなく、なぜならその値が固定されている、またはユーザ機器において別のパラメータに基づいて計算できるためである。これとは異なり、ユーザ機器が新規の設定可能なＲＮＴＩを受信する（直接的に受信する、または受信したストリームの値に基づいて間接的に計算する）必要がある場合には、新規の設定可能なＲＮＴＩの送信は、例えば以下の方法の少なくとも１つにおいて行うことができる。
−  設定可能なＲＮＴＩを、マスター情報ブロック（以下ではＭＩＢと称する）から導くことができる。
−  同様に、設定可能なＲＮＴＩを、物理ブロードキャストチャネル（以下ではＰＢＣＨと称する）から導くことができる。これらの方法の利点として、ＭＩＢまたはＰＢＣＨを使用することによって、たとえアイドルモードにあるユーザ機器でも、新規の設定可能なＲＮＴＩの値を読み取ることができ、したがって対応するサーチスペースにアクセスして、例えばＳＩメッセージを取得することができる。非特許文献５の５.２.１.１節には、「ＭＩＢは、別の情報をセルから取得するために必要であるパラメータのうち最も重要かつ最も高い頻度で送信される（ＢＣＨで送信される）限られた数のパラメータを含む」と記載されている。非特許文献２の４.２節の表４.２−１には、ＢＣＨはＰＢＣＨで送信されることが指定されている。したがって、ユーザ機器において新規の設定可能なＲＮＴＩの値を計算する目的に、ＭＩＢおよびＰＢＣＨの両方を使用することができる。
−  さらなる代替方法として、設定可能なＲＮＴＩを、無線リソース制御（以下ではＲＲＣと称する）メッセージから導くことができる。このＲＲＣの方法を使用する利点として、ＲＲＣメッセージは、いくつかのパラメータをユーザ機器に送信する目的にすでに使用されている。したがって、新規の設定可能なＲＮＴＩを、ＲＲＣシグナリングのペイロードに挿入することができる、または、ユーザ機器においてＲＲＣメッセージの値に基づいて新規の設定可能なＲＮＴＩを計算することができる。
【０１６９】
例えば、ＭＩＢまたはＰＢＣＨを使用する場合、新規の設定可能なＲＮＴＩを導くために使用される値を、１個または複数のビットを使用して示すことができる。例えば、ＭＩＢにおいて３個のビットがこのような方式で使用される場合、これらの３個のビットを、新規の設定可能なＲＮＴＩの最下位ビット（ＬＳＢ）（あるいは最上位ビット（ＭＳＢ））と解釈することができ、残りのビットは所定の値（０など）であるものと想定する。
【０１７０】
さらなる代替方法として、新規の設定可能なＲＮＴＩの値を、ＭＩＢの値、ＰＢＣＨの値、ＲＲＣ情報要素の値のうちの少なくとも１つに基づいて、ユーザ機器によって計算することができる。すなわち、これらのパラメータの任意の組合せを入力として、設定可能なＲＮＴＩの長さと同程度の値を出力できる任意の関数を使用することができる。例えば、ＭＩＢ／ＰＢＣＨまたはＲＲＣ情報要素における少なくとも１個のビットによって示される値を、ルックアップテーブルまたは式において使用して、新規の設定可能なＲＮＴＩの異なる値を選択または生成することができる。例えば、このような方式において２個のビットが使用される場合、次の表におけるような関係を使用して、新規の設定可能なＲＮＴＩを得ることができる。
【０１７１】
【表３】
0006438475.tif 000007
【０１７２】
上の表の数値は、設計時の単なる選択に依存するように見えるが、背景技術のセクションにおいてＲＮＴＩの表に示したように、値００００およびＦＦＦ４〜ＦＦＦＣは現時点では使用されていないため、これらの値から選択することが好ましい。したがって、これらの値のうちの１つまたは複数を使用するならば、３ＧＰＰ仕様の過去のリリースに従う実装との矛盾が生じることもない。
【０１７３】
以下では、ＥＰＤＣＣＨのサーチスペースに新規の設定可能なＲＮＴＩを使用する場合に関するさらなる例をいくつか示す。なお以下のいくつかの例は、互いに組み合わせる、または互いに独立して実施できることが、当業者には明らかであろう。
【０１７４】
いくつかの実施形態においては、新規の設定可能なＲＮＴＩの使用を、時間領域において制約することができる。すなわち、サブフレームパターンによってユーザ機器を設定することができ、この場合、ユーザ機器は、ＰＤＣＣＨのユーザ機器に固有なサーチスペース（以下ではＵＳＳと称する）を監視する、または、リリース１１の挙動において（リリース１１の文書は３ＧＰＰのウェブサイト／リリース１１おいて入手可能であり、参照によって本明細書に組み込まれている）、すなわちＣ−ＲＮＴＩの値に等しいＹｐ，−１の値を設定することによって、ＥＰＤＣＣＨを監視する、または、上述した新規の挙動においてＥＰＤＣＣＨを監視する、のうちの少なくとも１つとすることができる。
【０１７５】
言い換えれば、いくつかのサブフレームにおいてはＣ−ＲＮＴＩを使用してＥＰＤＣＣＨのサーチスペースを定義することができ、その一方で、別のサブフレームにおいては新規の設定可能なＲＮＴＩを使用してＥＰＤＣＣＨのサーチスペースを定義することができる。ＴＤＤ再構成が行われる特定のケースにおいてこのように設定する例を後から示す。
【０１７６】
この方法の恩恵として、１つのＥＰＤＣＣＨ−ＰＲＢセットのみが設定されている場合でも、効率的な送信を行うことができる。これに加えて、この方法では、例えば既存の特定のサブフレームパターン（ＡＢＳパターンまたはＣＳＩ測定パターンなど）にも位置合わせすることができる。実際に、多数のユーザ機器に共通のＥＰＤＣＣＨ送信を受信させる必要がある場合、そのＥＰＤＣＣＨ送信を、例えば干渉に対して保護する必要がある。干渉を正しく推定するためには、干渉の基本的な特性がサブフレームごとに大きく変動しないことが望ましい。しかしながら、干渉を引き起こすセルが、偶数番号のサブフレームにおいて送信を行わないようにシステムを動作させることが有利なことがあり、隣接するセルでは、偶数番号のサブフレームにおける干渉レベルが奇数番号のサブフレームにおける干渉レベルよりも低くなる。ユーザ機器における干渉の測定／推定においてこの設定を認識できるようにする目的で、偶数番号のサブフレームにおける第１のＣＳＩ測定パターンと、奇数番号のサブフレームにおける第２のＣＳＩ測定パターンとを使用するように、ユーザ機器を設定する。当然ながら、干渉の少ないサブフレーム（この例においては偶数番号のサブフレーム）においては、より高い信頼性の送信が可能である。したがって、新規の設定可能なＲＮＴＩを使用してのＥＰＤＣＣＨの検出を、このようなＣＳＩ測定パターンに対応するサブフレームに限定することは有利であり得る。このようにすることで、それ以外のサブフレームにおいては新規の設定可能なＲＮＴＩが使用されず、これによって、そのような他のサブフレームにおいては、さまざまな制御チャネルの送信の誤った検出の確率とブロッキング確率とが減少する。その一方で、新規の設定可能なＲＮＴＩを使用してサーチスペースを求めるサブフレーム（好ましくは、同一の送信において複数のユーザ機器を対象とする制御チャネルを送信するために使用されるサブフレーム）においては、干渉が低いために一般的に信頼性が向上する。
【０１７７】
特定のケースとして、ＴＤＤ再構成の値をいくつかのユーザ機器に送信する目的で新規の設定可能なＲＮＴＩを使用する場合には、ダウンリンク（以下ではＤＬと称する）サブフレームを、固定ＤＬサブフレーム（Fixed DL subframe）とフレキシブルＤＬサブフレーム（Flexible DL subframe）とに分類することができる。ここで、固定ＤＬサブフレームとは、採用されているＵＬ／ＤＬ構成にかかわらずすべての無線フレームにおいてＤまたはＳであるサブフレームである。すなわち、サブフレーム＃０，＃１，＃５，＃６は、固定ＤＬサブフレームである。さらに具体的には、サブフレーム＃０およびサブフレーム＃５は固定ＤＬサブフレームであるのに対して、サブフレーム＃１およびサブフレーム＃６はスペシャルＤＬサブフレームとして定義されている。スペシャルサブフレームの仕様については、例えば非特許文献１（この文書は参照によって本明細書に組み込まれている）の４.２節に説明されている。残りのサブフレームは、ＴＤＤ構成に応じてダウンリンクモードおよびアップリンクモードの両方に使用することができる。
【０１７８】
ＴＤＤ再構成に起因してＤＣＩが失われる危険性なしに共通のＤＣＩを検出できるように、新規の設定可能なＲＮＴＩを、固定ＤＬサブフレームのみにおいて（すなわちサブフレーム＃０，＃１，＃５，＃６において、またはより好ましくはサブフレーム＃０および＃５において）使用することができる。このようにすることで、新しいＴＤＤ再構成の値を送信するＤＣＩが、新規の設定可能なＲＮＴＩの同じ値を有するすべてのユーザ機器によって受信されるようにすることができる。これと同時に、Ｃ−ＲＮＴＩは、フレキシブルＤＬサブフレームもしくはスペシャルサブフレームまたはその両方において（例えばサブフレーム＃１，＃２，＃３，＃４，＃６，＃７，＃８，＃９のいずれかにおいて）使用することができる。
【０１７９】
ＦＤＤの場合において新規の設定可能なＲＮＴＩを適用する場合、隣接するセルからの干渉を最小にすることのできるサブフレームにおいて、新規の設定可能なＲＮＴＩを適用してサーチスペースを求めることが好ましい。１つのこのようなメカニズムでは、いわゆるＭＢＳＦＮサブフレームを採用しており、ＭＢＳＦＮサブフレームは、ＦＤＤの場合における無線フレームのサブフレーム＃１，＃２，＃３，＃６，＃７，＃８に設定することができる。したがって、これらのサブフレームの１つまたは複数のみにおいて、新規の設定可能なＲＮＴＩを適用してサーチスペースを求めることが好ましく、さらには、新規の設定可能なＲＮＴＩを適用できるサブフレームが例えばＲＲＣ設定パターンによって決まる場合、設定可能なＲＮＴＩを使用できるサブフレームを、これらのサブフレームに制限することが好ましい。
【０１８０】
この方法では、ユーザ機器における要求される復号処理量は増大せず、なぜなら各サブフレームに対して１つのＥＰＤＣＣＨサーチスペースのみが定義されるためである。しかしながら、いくつかのサブフレームにおいては新規の設定可能なＲＮＴＩに基づいてサーチスペースを定義し、残りのサブフレームにおいてはＣ−ＲＮＴＩを使用することによって、新規の設定可能なＲＮＴＩが使用されているサブフレームにおいて１つのＤＣＩメッセージを複数のユーザ機器に効率的に送信することが可能である一方で、Ｃ−ＲＮＴＩが使用されているときには複数の異なるユーザ機器を対象とする複数の異なるＥＰＤＣＣＨサーチスペースを定義することも依然として可能である。この場合、サーチスペースが新規の設定可能なＲＮＴＩによって定義されているサブフレームにおいては、上述したようにＣ−ＲＮＴＩおよび新規の設定可能なＲＮＴＩの両方に基づいてＣＲＣチェックを行うことができるが、Ｃ−ＲＮＴＩに基づく追加のＣＲＣチェックを回避することによってユーザ機器における要求される計算量を減らすため、このようなサブフレームにおいては新規の設定可能なＲＮＴＩに基づくＣＲＣチェックのみを行うことも可能である。
【０１８１】
どのサブフレームにおいて新規の設定可能なＲＮＴＩに基づくＥＰＤＣＣＨサーチスペースを採用し、どのサブフレームにおいてＣ−ＲＮＴＩに基づくＥＰＤＣＣＨサーチスペースを採用するかの決定は、固定とする、または時間の経過とともに変更することができ、後者の場合、変更は、ＤＣＩの一部として、または、新規の設定可能なＲＮＴＩの値をユーザ機器に送信するための上述した方法において新規の設定可能なＲＮＴＩの値と一緒に、ユーザ機器に伝えることができる。
【０１８２】
いくつかの実施形態においては、新規の設定可能なＲＮＴＩの使用を、特定のアグリゲーションレベルに制約することができる。具体的には、広いカバレッジが要求されるのか、あるいは無線条件が良好であるユーザ機器にとって最適なカバレッジが要求されるのかに応じて、２つのケースを定義することができる。このようにすることで、サーチスペースの一部が新規の設定可能なＲＮＴＩによって決定され、サーチスペースの残りの部分が別のＲＮＴＩ（Ｃ−ＲＮＴＩなど）によって決定される。
【０１８３】
最初のケース、すなわちユーザ機器の広いカバレッジを提供することが目標であるときには、高いアグリゲーションレベルのＥＰＤＣＣＨ候補についてのみ、新規の設定可能なＲＮＴＩを使用して（１つまたは複数の）ＥＣＣＥのインデックスを決定することができる。ＬＴＥリリース１１では、一般にはアグリゲーションレベル１，２，４，８，１６，３２がサポートされる。この場合における高いアグリゲーションレベルとは、例えば、アグリゲーションレベル８，１６，３２、またはアグリゲーションレベル１６，３２、または少なくともアグリゲーションレベル３２であり、低いアグリゲーションレベルは、例えば、アグリゲーションレベル１，２，４、またはアグリゲーションレベル１，２、または少なくともアグリゲーションレベル１である。しかしながら、１つのＥＰＤＣＣＨ−ＰＲＢセットに対して、必ずしもこれらのアグリゲーションレベルすべてをサポートしない。特に、このケースでは、１つのＥＰＤＣＣＨ−ＰＲＢセットに適用できる最も低い２つのアグリゲーションレベルよりも高いアグリゲーションレベル、より具体的には、１つのＥＰＤＣＣＨ−ＰＲＢセットに適用できる最も高い１つまたは２つのアグリゲーションレベルのみがサポートされる。例えば、非特許文献７の表９.１.４−１ａは、いわゆるケース１においてＥＰＤＣＣＨ−ＰＲＢセットのＰＲＢペアが２つである場合、少なくとも１回のブラインド復号においてアグリゲーションレベル２，４，８を適用できることを定義している。したがって、この実施形態によると、新規の設定可能なＲＮＴＩは、アグリゲーションレベル８のブラインド復号の試み、あるいはアグリゲーションレベル４および８のブラインド復号の試みにのみ適用可能である。残りのアグリゲーションレベルのブラインド復号の試みについては、ユーザ機器のＣ−ＲＮＴＩに従って制御チャネル要素が求められることが好ましい。これにより、ＥＰＤＣＣＨ−ＰＲＢセットにおける低いアグリゲーションレベルでのＤＣＩ送信において衝突およびブロッキングの確率が減少する。すなわち、低いアグリゲーションレベルにおいては、新規の設定可能なＲＮＴＩを使用する代わりにＣ−ＲＮＴＩを使用することによって、これらの低いアグリゲーションレベルのためのサーチスペースを分散させることができ、結果として衝突およびブロッキングの確率が下がる。
【０１８４】
２つの分散型のＥＰＤＣＣＨ−ＰＲＢセットの場合には、第１のセットが第２のセットよりも多くの高いアグリゲーションレベルの候補を提供するならば、第１のセットの高いアグリゲーションレベルに対しての新規の設定可能なＲＮＴＩを使用するため、第１のセットのみにおいて新規の設定可能なＲＮＴＩを使用することができる。同様に、局在型のＥＰＤＣＣＨ−ＰＲＢセットと分散型のＥＰＤＣＣＨ−ＰＲＢセットの場合には、分散型のセットのみに新規の設定可能なＲＮＴＩを使用することができる。
【０１８５】
第２のケースにおいては、すなわち良好な無線条件下にあるユーザ機器に最適な共通のＲＮＴＩカバレッジを提供することが目標であるときには、低いアグリゲーションレベルのＥＰＤＣＣＨ候補についてのみ、新規の設定可能なＲＮＴＩを使用して（１つまたは複数の）ＥＣＣＥのインデックスを決定することができる。特に、１つのＥＰＤＣＣＨ−ＰＲＢセットに適用できる最も高い２つのアグリゲーションレベルよりも低いアグリゲーションレベル、より具体的には、１つのＥＰＤＣＣＨ−ＰＲＢセットに適用できる最も低い１つまたは２つのアグリゲーションレベルのみがサポートされる。例えば、非特許文献７の表９.１.４−１ａは、いわゆるケース１においてＥＰＤＣＣＨ−ＰＲＢセットのＰＲＢペアが２つである場合、少なくとも１回のブラインド復号においてアグリゲーションレベル２，４，８を適用できることを定義している。したがって、この実施形態によると、新規の設定可能なＲＮＴＩは、アグリゲーションレベル２のブラインド復号の試み、あるいはアグリゲーションレベル２および４のブラインド復号の試みにのみ適用可能である。残りのアグリゲーションレベルのブラインド復号の試みについては、ユーザ機器のＣ−ＲＮＴＩに従って制御チャネル要素が求められることが好ましい。このケースは、例えば、ユーザ機器との無線接続の品質が一般的に良好である小さいセルの場合に有用であり得る。
【０１８６】
低いアグリゲーションレベルに対して新規の設定可能なＲＮＴＩを使用することによって、ＥＰＤＣＣＨ−ＰＲＢセットにおける高いアグリゲーションレベルでのＤＣＩ送信において衝突／ブロッキングの確率が減少する。２つの分散型のＥＰＤＣＣＨ−ＰＲＢセットの場合、第１のセットよりも多くの低いアグリゲーションレベルの候補を提供する第２のセットのみにおいて、新規の設定可能なＲＮＴＩを使用することができる。同様に、局在型のＥＰＤＣＣＨ−ＰＲＢセットと分散型ＥＰＤＣＣＨ−ＰＲＢセットの場合、局在型のセットのみに新規の設定可能なＲＮＴＩを使用することができる。
【０１８７】
いくつかの実施形態においては、新規の設定可能なＲＮＴＩを適用するＰＲＢセットは、既存のＥＰＤＣＣＨ−ＰＲＢセットの一方または両方とする、または新しい第３のセットとすることができる。後者の場合、通常ではＰＤＣＣＨ共通サーチスペース（ＣＳＳ）において使用されるブラインド復号の試み（現時点では合計で１２回のブラインド復号）を、第３のセットに対するブラインド復号の試みに置き換えることができる。この方法では、ユーザ機器におけるさらなるブラインド復号動作を回避することが可能である。
【０１８８】
要約すると、本発明は、新しいフィールドとして新規の設定可能なＲＮＴＩを提供し、このフィールドは、同じセル内の２基以上のユーザ機器に１つのパラメータを効率的に送信する目的で使用することができ、これは、新規の設定可能なＲＮＴＩを使用してＥＰＤＣＣＨのサーチスペースを定義し、２基以上のユーザ機器に対して新規の設定可能なＲＮＴＩの同じ値を使用することによる。この方法では、新規の設定可能なＲＮＴＩの同じ値を有するユーザ機器のサーチスペースが同一であり、新規の設定可能なＲＮＴＩの同じ値を有するすべてのユーザ機器に１つのメッセージを到達させることができる。これにより、複数のユーザ機器にメッセージ（ＤＣＩメッセージなど）を送信する効率が高まる。このような送信方式によって恩恵を受けうる１つのパラメータは、ＴＤＤ構成であるが、本発明はこれに限定されない。さらに、ＥＰＤＣＣＨサーチスペースを定義するときに新規の設定可能なＲＮＴＩを必ずしもつねに使用するのではなく、特定の場合にのみ共通のＥＰＤＣＣＨサーチスペースを提供する目的で、タイミングまたはアグリゲーションレベルに関して新規の設定可能なＲＮＴＩの使用を制限することができる。さらには、新規の設定可能なＲＮＴＩを使用して、２基以上のユーザ機器に共通のＥＰＤＣＣＨサーチスペースを定義するときであっても、個々のユーザ機器それぞれが、他のユーザ機器を宛先としていないユニキャストメッセージを依然として受信することができ、そのためには、新規の設定可能なＲＮＴＩ（複数のユーザ機器に共通する）と、Ｃ−ＲＮＴＩ（個々の各ユーザ機器に固有である）の両方に対して、受信したメッセージのＣＲＣ値をチェックするだけである。この方法では、ブラインド復号の回数を増やすことなく、ユニキャストメッセージおよびブロードキャストメッセージを同じサーチスペースにおいて同時に送信することが可能である。
【０１８９】
したがって、本発明によると、送信アーキテクチャをわずかに変更し、ユーザ機器における要求される計算量を少し増やすことによって、共通のＥＰＤＣＣＨサーチスペースを形成して複数のユーザ機器に共通のパラメータを効率的に送信することができる。
【図１】
0006438475.tif 000008
【図２】
0006438475.tif 000009
【図３】
0006438475.tif 000010
【図４】
0006438475.tif 000011
【図５】
0006438475.tif 000012
【図６】
0006438475.tif 000013
【図７】
0006438475.tif 000014